(57)【要約】【課題】酸化物半導体を含み、高速動作が可能なトランジスタ及びその作製方法を提供する。または、該トランジスタを含む信頼性の高い半導体装置及びその作製方法を提供する。【解決手段】チャネル形成領域と、該チャネル形成領域を挟むように設けられ、チャネル形成領域よりも低抵抗な領域であるソース領域及びドレイン領域と、を含み、チャネル形成領域、ソース領域及びドレイン領域はそれぞれ結晶性領域を含む酸化物半導体層を有する半導体装置を提供する。【選択図】図１
2018148221.tif 000002
【特許請求の範囲】
【請求項１】
チャネル形成領域と、ソース領域と、ドレイン領域とを有する結晶性酸化物半導体層と、
前記チャネル形成領域上のゲート絶縁層と、
前記ゲート絶縁層を介して前記チャネル形成領域上のゲート電極と、を有し、
前記結晶性酸化物半導体層は、ｃ軸配向した結晶部を有し、且つ、インジウムと、ガリウムと、亜鉛とを有し、
前記ソース領域及び前記ドレイン領域は、結晶部を有し、且つ窒素を有することを特徴とする半導体装置。
【請求項２】
チャネル形成領域と、ソース領域と、ドレイン領域とを有する結晶性酸化物半導体層と、
前記チャネル形成領域上のゲート絶縁層と、
前記ゲート絶縁層を介して前記チャネル形成領域上のゲート電極と、
前記ゲート電極上及び前記結晶性酸化物半導体層上に位置し、第１及び第２の開口部を有する絶縁層と、
前記第１の開口部を介して前記ソース領域と接するソース電極と、
前記第２の開口部を介して前記ドレイン領域と接するドレイン電極と、を有し、
前記結晶性酸化物半導体層は、ｃ軸配向した結晶部を有し、且つ、インジウムと、ガリウムと、亜鉛とを有し、
前記ソース領域及び前記ドレイン領域は、結晶部を有し、且つ窒素を有することを特徴とする半導体装置。
【請求項３】
請求項１又は２において、
前記ソース領域及び前記ドレイン領域は、前記チャネル形成領域よりも結晶性が高いことを特徴とする半導体装置。
【発明の詳細な説明】
【技術分野】
【０００１】
開示する発明は、半導体装置及びその作製方法に関する。
【０００２】
なお、本明細書等において半導体装置とは、半導体特性を利用することで機能しうる装置
全般を指し、電気光学装置、発光表示装置、半導体回路及び電子機器は全て半導体装置で
ある。
【背景技術】
【０００３】
絶縁表面を有する基板上に形成された半導体薄膜を用いてトランジスタを構成する技術が
注目されている。該トランジスタは集積回路（ＩＣ）や画像表示装置（単に表示装置とも
表記する）のような半導体電子デバイスに広く応用されている。トランジスタに適用可能
な半導体薄膜としてシリコン系半導体材料が知られているが、その他の材料として酸化物
半導体が注目されている。
【０００４】
例えば、酸化物半導体として、酸化亜鉛、Ｉｎ−Ｇａ−Ｚｎ−Ｏ系酸化物を用いてトラン
ジスタを作製し、表示装置の画素のスイッチング素子などに用いる技術が特許文献１及び
特許文献２で開示されている。
【０００５】
特許文献３では、酸化物半導体を用いたスタガ型のトランジスタにおいて、ソース領域お
よびドレイン領域と、ソース電極およびドレイン電極との間に、緩衝層として導電性の高
い窒素を含む酸化物半導体を設け、酸化物半導体と、ソース電極およびドレイン電極との
コンタクト抵抗を低減する技術が開示されている。
【０００６】
非特許文献１では、セルフアラインでチャネル領域、ソース領域およびドレイン領域を形
成したトップゲート構造の非晶質酸化物半導体トランジスタが開示されている。
【先行技術文献】
【特許文献】
【０００７】
【特許文献１】特開２００７−１２３８６１号公報
【特許文献２】特開２００７−９６０５５号公報
【特許文献３】特開２０１０−１３５７７４号公報
【非特許文献】
【０００８】
【非特許文献１】Ｊａｅ  Ｃｈｕｌ  Ｐａｒｋ  ｅｔ  ａｌ．，”Ｈｉｇｈ  ｐｅｒｆｏｒｍａｎｃｅ  ａｍｏｒｐｈｏｕｓ  ｏｘｉｄｅ  ｔｈｉｎ  ｆｉｌｍ  ｔｒａｎｓｉｓｔｏｒｓ  ｗｉｔｈ  ｓｅｌｆ−ａｌｉｇｎｅｄ  ｔｏｐ−ｇａｔｅ  ｓｔｒｕｃｔｕｒｅ”  ＩＥＤＭ２００９，  ｐｐ１９１−１９４
【発明の概要】
【発明が解決しようとする課題】
【０００９】
トランジスタを含む半導体装置の高性能化に伴い、トランジスタの高速動作が求められて
いる。そこで本発明の一態様では、酸化物半導体を含み、高速動作が可能なトランジスタ
及びその作製方法を提供することを課題の一とする。または、該トランジスタを含む信頼
性の高い半導体装置及びその作製方法を提供することを課題の一とする。
【課題を解決するための手段】
【００１０】
開示する発明の一態様では、チャネル形成領域と、該チャネル形成領域を挟むように設け
られ、チャネル形成領域よりも低抵抗な領域であるソース領域及びドレイン領域を含み、
チャネル形成領域、ソース領域及びドレイン領域はそれぞれ結晶性領域を含む酸化物半導
体層を有する半導体装置である。より具体的には、例えば以下の構成とすることができる
。
【００１１】
本発明の他の一態様は、ソース領域、ドレイン領域、及びチャネル形成領域を含む結晶性
酸化物半導体層と、チャネル形成領域上に設けられたゲート絶縁層と、ゲート絶縁層を介
してチャネル形成領域上に設けられたゲート電極と、を有し、ソース領域及びドレイン領
域は、窒素を含む結晶性領域である半導体装置である。
【００１２】
また、本発明の他の一態様は、ソース領域、ドレイン領域、及びチャネル形成領域を含む
結晶性酸化物半導体層と、チャネル形成領域上に設けられたゲート絶縁層と、ゲート絶縁
層を介してチャネル形成領域上に設けられたゲート電極と、開口部を有し、結晶性酸化物
半導体層及びゲート電極上に設けられた絶縁層と、絶縁層に設けられた開口部を介して、
ソース領域及びドレイン領域とそれぞれ接するソース電極及びドレイン電極と、を有し、
ソース領域及びドレイン領域は、窒素を含む結晶性領域である半導体装置である。
【００１３】
上記の半導体装置のいずれか一において、ソース領域及びドレイン領域は、チャネル形成
領域よりも結晶性が高くてもよい。
【００１４】
また、本発明の他の一態様は、結晶性酸化物半導体層を形成し、結晶性酸化物半導体層上
に第１の絶縁層を形成し、第１の絶縁層を介して結晶性酸化物半導体層上にゲート電極を
形成し、ゲート電極をマスクとして、第１の絶縁層をエッチングすることでゲート絶縁層
を形成し、結晶性酸化物半導体層においてゲート絶縁膜に覆われていない部分に窒素プラ
ズマ処理を行うことにより、結晶性酸化物半導体層に窒素を含む結晶性領域を形成する半
導体装置の作製方法である。
【００１５】
また、本発明の他の一態様は、酸化物半導体層を形成し、酸化物半導体層上に第１の絶縁
層を形成し、酸化物半導体層に熱処理を施して、結晶性酸化物半導体層とし、第１の絶縁
層を介して結晶性酸化物半導体層上にゲート電極を形成し、ゲート電極をマスクとして、
第１の絶縁層をエッチングすることでゲート絶縁層を形成し、結晶性酸化物半導体層にお
いてゲート絶縁膜に覆われていない部分に窒素プラズマ処理を行うことにより、結晶性酸
化物半導体層に窒素を含む結晶性領域を形成し、結晶性酸化物半導体層及びゲート電極を
覆う第２の絶縁層を形成し、第２の絶縁層において、ソース領域及びドレイン領域と重畳
する領域にそれぞれ開口部を形成し、第２の絶縁層上に、開口部を介してソース領域及び
ドレイン領域とそれぞれ接するソース電極及びドレイン電極を形成する半導体装置の作製
方法である。
【００１６】
本明細書等において、結晶性酸化物半導体層とは、結晶を含み、結晶性を有する酸化物半
導体層である。結晶性酸化物半導体層における結晶状態は、結晶軸の方向が無秩序な状態
でも、一定の配向性を有する状態であってもよい。
【００１７】
また、本明細書に開示する発明の一形態においては、結晶性酸化物半導体層として、ＣＡ
ＡＣ−ＯＳ（Ｃ  Ａｘｉｓ  Ａｌｉｇｎｅｄ  Ｃｒｙｓｔａｌｌｉｎｅ  Ｏｘｉｄｅ  Ｓ
ｅｍｉｃｏｎｄｕｃｔｏｒ）膜を形成することができる。
【００１８】
ＣＡＡＣ−ＯＳ膜は、完全な単結晶ではなく、完全な非晶質でもない。ＣＡＡＣ−ＯＳ膜
は、非晶質相に結晶部及び非晶質部を有する結晶−非晶質混相構造の酸化物半導体膜であ
る。なお、当該結晶部は、一辺が１００ｎｍ未満の立方体内に収まる大きさであることが
多い。また、透過型電子顕微鏡（ＴＥＭ：Ｔｒａｎｓｍｉｓｓｉｏｎ  Ｅｌｅｃｔｒｏｎ
Ｍｉｃｒｏｓｃｏｐｅ）による観察像では、ＣＡＡＣ−ＯＳ膜に含まれる非晶質部と結
晶部の境界は明確ではない。また、ＴＥＭによってＣＡＡＣ−ＯＳ膜には粒界（グレイン
バウンダリーともいう）は確認できない。そのため、ＣＡＡＣ−ＯＳ膜は、粒界に起因す
る電子移動度の低下が抑制される。
【００１９】
ＣＡＡＣ−ＯＳ膜に含まれる結晶部は、ｃ軸がＣＡＡＣ−ＯＳ膜の被形成面の法線ベクト
ル又は表面の法線ベクトルに平行な方向に揃い、かつａｂ面に垂直な方向から見て三角形
状または六角形状の原子配列を有し、ｃ軸に垂直な方向から見て金属原子が層状または金
属原子と酸素原子とが層状に配列している。なお、異なる結晶部間で、それぞれａ軸及び
ｂ軸の向きが異なっていてもよい。本明細書において、単に垂直と記載する場合、８５°
以上９５°以下の範囲も含まれることとする。又、単に平行と記載する場合、−５°以上
５°以下の範囲も含まれることとする。
【００２０】
なお、ＣＡＡＣ−ＯＳ膜において、結晶部の分布が一様でなくてもよい。例えば、ＣＡＡ
Ｃ−ＯＳ膜の形成過程において、結晶性酸化物半導体層の表面側から結晶成長させる場合
、被形成面の近傍に対し表面の近傍では結晶部の占める割合が高くなることがある。また
、ＣＡＡＣ−ＯＳ膜へ不純物を添加することにより、当該不純物添加領域において結晶部
が非晶質化することもある。
【００２１】
ＣＡＡＣ−ＯＳ膜に含まれる結晶部のｃ軸は、ＣＡＡＣ−ＯＳ膜の被形成面の法線ベクト
ル又は表面の法線ベクトルに平行な方向に揃うため、ＣＡＡＣ−ＯＳ膜の形状（被形成面
の断面形状又は表面の断面形状）によっては互いに異なる方向を向くことがある。なお、
結晶部のｃ軸の方向は、ＣＡＡＣ−ＯＳ膜が形成されたときの被形成面の法線ベクトル又
は表面の法線ベクトルに平行な方向となる。結晶部は成膜することにより、又は成膜後に
加熱処理などの結晶化処理を行うことにより形成される。
【００２２】
ＣＡＡＣ−ＯＳ膜を構成する酸素の一部は窒素で置換されてもよい。
【００２３】
このような結晶性酸化物半導体層をトランジスタに用いることで、可視光や紫外光の照射
によるトランジスタの電気的特性変化をより抑制し、信頼性の高い半導体装置とすること
ができる。
【００２４】
なお、本明細書等において、「上」の用語は、構成要素の位置関係が「直上」であること
を限定するものではない。例えば、「ゲート絶縁層上のゲート電極」との表現であれば、
ゲート絶縁層とゲート電極との間に他の構成要素を含むものを除外しない。また、「下」
の用語についても同様である。
【００２５】
また、本明細書等において、「電極」や「配線」という用語は、これらの構成要素を機能
的に限定するものではない。例えば、「電極」は「配線」の一部として用いられることが
あり、その逆もまた同様である。さらに、「電極」や「配線」という用語は、複数の「電
極」や「配線」が一体となって形成されている場合なども含む。
【発明の効果】
【００２６】
本発明の一態様により、酸化物半導体を含み、高速動作が可能なトランジスタ及びその作
製方法を提供することができる。
【００２７】
また、本発明の一態様により、信頼性の高い半導体装置及びその作製方法を提供すること
ができる。
【図面の簡単な説明】
【００２８】
【図１】半導体装置の一態様を示す平面図及び断面図。
【図２】半導体装置の作製工程の一例を示す図。
【図３】半導体装置の一態様を示す断面図。
【図４】半導体装置の作製工程の一例を示す図。
【図５】半導体装置の作製工程の一例を示す図。
【図６】半導体装置の一態様を示す図。
【図７】半導体装置の一態様を示す図。
【図８】半導体装置の一態様を示す図。
【図９】半導体装置の一態様を示す図。
【図１０】半導体装置の一態様を示す図。
【図１１】実施例で作製した試料のシート抵抗測定結果。
【図１２】実施例で作製した試料のＸＲＤスペクトルの測定結果。
【図１３】実施例で作製した試料のＸＰＳスペクトルの測定結果。
【発明を実施するための形態】
【００２９】
以下では、本発明の実施の形態について図面を用いて詳細に説明する。但し、本発明は以
下の説明に限定されず、その形態及び詳細を様々に変更し得ることは、当業者であれば容
易に理解される。したがって、本発明は以下の記載内容に限定して解釈されるものではな
い。なお、以下の説明する本発明の構成において、同一部分または同様の機能を有する部
分には、同一の符号を異なる図面間で共通して用い、その繰り返しの説明は省略する。ま
た、同様の機能を有する部分を指す場合にはハッチパターンを同じくし、特に符号を付さ
ない場合がある。
【００３０】
なお、本明細書で説明する各図において、各構成の大きさ、膜の厚さ、または領域は、明
瞭化のために誇張されている場合がある。よって、必ずしもそのスケールに限定されない
。
【００３１】
なお、本明細書等において、第１、第２として付される序数詞は便宜上用いるものであり
、工程順又は積層順を示すものではない。また、本明細書等において発明を特定するため
の事項として固有の名称を示すものではない。
【００３２】
（実施の形態１）
本実施の形態では、半導体装置及び半導体装置の作製方法の一態様を図１及び図２を用い
て説明する。
【００３３】
図１に半導体装置の例として、トランジスタ５１０の断面図及び平面図を示す。図１（Ａ
）は平面図であり、図１（Ｂ）及び図１（Ｃ）は、図１（Ａ）におけるＡ−Ｂ断面及びＣ
−Ｄ断面に係る断面図である。なお、図１（Ａ）では、煩雑になることを避けるため、ト
ランジスタ５１０の構成要素の一部（例えば、絶縁層４１２など）を省略して図示してい
る。
【００３４】
図１に示すトランジスタ５１０は、絶縁表面を有する基板４００上に、下地絶縁層４０２
と、ソース領域４０４ａ、ドレイン領域４０４ｂ及びチャネル形成領域４０４ｃを含む結
晶性酸化物半導体層４０４と、ゲート絶縁層４０６と、ゲート電極４１０と、開口部を有
する絶縁層４１２と、絶縁層４１２の開口部を介してソース領域４０４ａと接するソース
電極４１５ａと、絶縁層４１２の開口部を介してドレイン領域４０４ｂと接するドレイン
電極４１５ｂとを含んで構成される。なお、下地絶縁層４０２及び絶縁層４１２は、必ず
しもトランジスタ５１０の構成要素としなくともよい。
【００３５】
図１に示すトランジスタ５１０に設けられた結晶性酸化物半導体層４０４において、ソー
ス領域４０４ａ及びドレイン領域４０４ｂは、窒素を含んで構成された結晶性酸化物半導
体層であり、チャネル形成領域４０４ｃと比較して低抵抗な領域である。
【００３６】
ソース領域４０４ａ及びドレイン領域４０４ｂは、結晶性酸化物半導体層４０４を形成後
、窒素プラズマ処理によって窒素を意図的に含ませることにより形成される。よって、チ
ャネル形成領域４０４ｃと比較してキャリア密度が高い領域である。このようにキャリア
密度の高い領域において、金属で構成されるソース電極４１５ａまたはドレイン電極４１
５ｂと、結晶性酸化物半導体層４０４とがそれぞれ接することで、結晶性酸化物半導体層
４０４とソース電極４１５ａ又はドレイン電極４１５ｂとのコンタクトをオーミック性の
コンタクトとすることができ、また、そのコンタクト抵抗を低減させることができる。そ
れらの結果として、トランジスタ５１０のオン電流を増加させることができる。
【００３７】
なお、本明細書において、ソース領域及びドレイン領域として機能させる低抵抗な酸化物
半導体層は、ｎ型の導電型を有し、ｎ＋層と表記することもある。
【００３８】
結晶性酸化物半導体層４０４において、ソース領域４０４ａ、ドレイン領域４０４ｂ、及
びチャネル形成領域４０４ｃは、それぞれ結晶を含む領域（結晶性領域ともいう）である
。結晶性酸化物半導体層における結晶状態は、結晶軸の方向が無秩序な状態でも、一定の
配向性を有する状態であってもよい。
【００３９】
ソース領域４０４ａ、ドレイン領域４０４ｂ、及びチャネル形成領域４０４ｃをそれぞれ
結晶性領域とすることで、ソース領域４０４ａとチャネル形成領域４０４ｃ、及びドレイ
ン領域４０４ｂとチャネル形成領域４０４ｃの接合状態を良好とすることができる。また
、ソース領域４０４ａ、ドレイン領域４０４ｂ、及びチャネル形成領域４０４ｃをそれぞ
れ結晶性領域とすることで結晶性酸化物半導体層４０４におけるバンド内準位を低減させ
ることができる。したがって、トランジスタ特性を向上させることができる。また、トラ
ンジスタ５１０の信頼性を向上させることができる。
【００４０】
以下、図２（Ａ）乃至図２（Ｅ）を用いて、トランジスタ５１０の作製工程の一例を示す
。
【００４１】
まず、絶縁表面を有する基板４００上に、下地絶縁層４０２を成膜する。絶縁表面を有す
る基板４００に使用することができる基板に大きな制限はないが、少なくとも、後の熱処
理に耐えうる程度の耐熱性を有していることが必要となる。例えば、バリウムホウケイ酸
ガラスやアルミノホウケイ酸ガラスなどのガラス基板、セラミック基板、石英基板、サフ
ァイア基板などを用いることができる。また、シリコンや炭化シリコンなどの単結晶半導
体基板、多結晶半導体基板、シリコンゲルマニウムなどの化合物半導体基板、ＳＯＩ基板
などを適用することもでき、これらの基板上に半導体素子が設けられたものを、基板４０
０として用いてもよい。
【００４２】
また、基板４００として、可撓性基板を用いてもよい。可撓性基板を用いる場合、可撓性
基板上に酸化物半導体膜を含むトランジスタを直接作製してもよいし、他の作製基板に酸
化物半導体膜を含むトランジスタを作製し、その後可撓性基板に剥離、転置してもよい。
なお、作製基板から可撓性基板に剥離、転置するために、作製基板と酸化物半導体膜を含
むトランジスタとの間に剥離層を設けるとよい。
【００４３】
下地絶縁層４０２は、酸化シリコン、窒化シリコン、酸化窒化シリコン、窒化酸化シリコ
ン、酸化アルミニウム、窒化アルミニウム、酸化窒化アルミニウム、窒化酸化アルミニウ
ム、酸化ハフニウム、酸化ガリウム、又はこれらの混合材料を含む膜から選ばれた、単層
または積層構造とすることができる。但し、下地絶縁層４０２は、酸化物絶縁膜を含む単
層または積層構造として、該酸化物絶縁膜が後に形成される酸化物半導体層と接する構造
とするのが好ましい。本実施の形態においては、下地絶縁層４０２として、酸化シリコン
膜をプラズマＣＶＤ法又はスパッタリング法等により形成する。
【００４４】
また、下地絶縁層４０２は化学量論的組成比を超える酸素を含む領域（以下、酸素過剰領
域とも表記する）を有すると、下地絶縁層４０２に含まれる過剰な酸素によって、後に形
成される酸化物半導体層の酸素欠損を補填することが可能であるため好ましい。下地絶縁
層４０２が積層構造の場合は、少なくとも酸化物半導体層と接する層において酸素過剰領
域を有するのが好ましい。下地絶縁層４０２に酸素過剰領域を設けるには、例えば、酸素
雰囲気下にて下地絶縁層４０２を成膜すればよい。または、成膜後の下地絶縁層４０２に
、酸素（少なくとも、酸素ラジカル、酸素原子、酸素イオンのいずれかを含む）を注入し
て、酸素過剰領域を形成してもよい。酸素の注入方法としては、イオン注入法、イオンド
ーピング法、プラズマイマージョンイオン注入法、プラズマ処理などを用いることができ
る。
【００４５】
次いで、下地絶縁層４０２上に、膜厚２ｎｍ以上２００ｎｍ以下、好ましくは５ｎｍ以上
３０ｎｍ以下の酸化物半導体層を形成する。
【００４６】
下地絶縁層４０２上に成膜される酸化物半導体層は、非晶質構造であってもよいし、結晶
性酸化物半導体としてもよい。但し、該酸化物半導体層を非晶質構造とする場合には、後
の作製工程（少なくとも窒素プラズマ処理工程の前まで）において、酸化物半導体層に熱
処理を行うことによって、結晶性酸化物半導体層を形成するものとする。非晶質酸化物半
導体層を結晶化させる熱処理の温度は、２５０℃以上７００℃以下、好ましくは４００℃
以上、より好ましくは５００℃以上、さらに好ましくは５５０℃以上とする。なお、当該
熱処理は、作製工程における他の熱処理を兼ねることも可能である。
【００４７】
本実施の形態においては、下地絶縁層４０２上に結晶性酸化物半導体層４０１ａを成膜す
る（図２（Ａ）参照）。
【００４８】
結晶性酸化物半導体層４０１ａの成膜方法は、スパッタリング法、ＭＢＥ（Ｍｏｌｅｃｕ
ｌａｒ  Ｂｅａｍ  Ｅｐｉｔａｘｙ）法、ＣＶＤ法、パルスレーザ堆積法、ＡＬＤ（Ａｔ
ｏｍｉｃ  Ｌａｙｅｒ  Ｄｅｐｏｓｉｔｉｏｎ）法等を適宜用いることができる。
【００４９】
結晶性酸化物半導体層４０１ａを形成する際、できる限り結晶性酸化物半導体層４０１ａ
に含まれる水素濃度を低減させることが好ましい。水素濃度を低減させるには、例えば、
スパッタリング法を用いて成膜を行う場合には、スパッタリング装置の処理室内に供給す
る雰囲気ガスとして、水素、水、水酸基または水素化物などの不純物が除去された高純度
の希ガス（代表的にはアルゴン）、酸素、および希ガスと酸素との混合ガスを適宜用いる
。
【００５０】
また、成膜室内の残留水分を除去しつつ水素及び水分が除去されたスパッタガスを導入し
て成膜を行うことで、成膜された酸化物半導体層の水素濃度を低減させることができる。
成膜室内の残留水分を除去するためには、吸着型の真空ポンプ、例えば、クライオポンプ
、イオンポンプ、チタンサブリメーションポンプを用いることが好ましい。また、排気手
段としては、ターボ分子ポンプにコールドトラップを加えたものであってもよい。クライ
オポンプを用いて排気した成膜室は、例えば、水素原子、水（Ｈ２Ｏ）など水素原子を含
む化合物（より好ましくは炭素原子を含む化合物も）等が排気されるため、当該成膜室で
成膜した結晶性酸化物半導体層４０１ａに含まれる不純物の濃度を低減できる。
【００５１】
また、下地絶縁層４０２と結晶性酸化物半導体層４０１ａとを大気に解放せずに連続的に
形成することが好ましい。下地絶縁層４０２と結晶性酸化物半導体層４０１ａとを大気に
曝露せずに連続して形成すると、下地絶縁層４０２表面に水素や水分などの不純物が吸着
することを防止することができる。
【００５２】
また、基板４００を高温に保持した状態で結晶性酸化物半導体層４０１ａを形成すること
も、結晶性酸化物半導体層４０１ａ中に含まれうる不純物濃度を低減するのに有効である
。基板４００を加熱する温度としては、１５０℃以上４５０℃以下とすればよく、好まし
くは基板温度が２００℃以上３５０℃以下とすればよい。また、成膜時に基板を高温で加
熱することで、結晶性酸化物半導体層を形成することができる。
【００５３】
結晶性酸化物半導体層４０１ａに用いる酸化物半導体としては、少なくともインジウム（
Ｉｎ）あるいは亜鉛（Ｚｎ）を含むことが好ましい。特にＩｎとＺｎを含むことが好まし
い。また、該酸化物半導体を用いたトランジスタの電気特性のばらつきを減らすためのス
タビライザーとして、それらに加えてガリウム（Ｇａ）を有することが好ましい。また、
スタビライザーとしてスズ（Ｓｎ）を有することが好ましい。また、スタビライザーとし
てハフニウム（Ｈｆ）を有することが好ましい。また、スタビライザーとしてアルミニウ
ム（Ａｌ）を有することが好ましい。
【００５４】
また、他のスタビライザーとして、ランタノイドである、ランタン（Ｌａ）、セリウム（
Ｃｅ）、プラセオジム（Ｐｒ）、ネオジム（Ｎｄ）、サマリウム（Ｓｍ）、ユウロピウム
（Ｅｕ）、ガドリニウム（Ｇｄ）、テルビウム（Ｔｂ）、ジスプロシウム（Ｄｙ）、ホル
ミウム（Ｈｏ）、エルビウム（Ｅｒ）、ツリウム（Ｔｍ）、イッテルビウム（Ｙｂ）、ル
テチウム（Ｌｕ）のいずれか一種あるいは複数種を有してもよい。
【００５５】
例えば、酸化物半導体として、酸化インジウム、酸化スズ、酸化亜鉛、二元系金属の酸化
物であるＩｎ−Ｚｎ系酸化物、Ｓｎ−Ｚｎ系酸化物、Ａｌ−Ｚｎ系酸化物、Ｚｎ−Ｍｇ系
酸化物、Ｓｎ−Ｍｇ系酸化物、Ｉｎ−Ｍｇ系酸化物、Ｉｎ−Ｇａ系酸化物、三元系金属の
酸化物であるＩｎ−Ｇａ−Ｚｎ系酸化物、Ｉｎ−Ａｌ−Ｚｎ系酸化物、Ｉｎ−Ｓｎ−Ｚｎ
系酸化物、Ｓｎ−Ｇａ−Ｚｎ系酸化物、Ａｌ−Ｇａ−Ｚｎ系酸化物、Ｓｎ−Ａｌ−Ｚｎ系
酸化物、Ｉｎ−Ｈｆ−Ｚｎ系酸化物、Ｉｎ−Ｌａ−Ｚｎ系酸化物、Ｉｎ−Ｃｅ−Ｚｎ系酸
化物、Ｉｎ−Ｐｒ−Ｚｎ系酸化物、Ｉｎ−Ｎｄ−Ｚｎ系酸化物、Ｉｎ−Ｓｍ−Ｚｎ系酸化
物、Ｉｎ−Ｅｕ−Ｚｎ系酸化物、Ｉｎ−Ｇｄ−Ｚｎ系酸化物、Ｉｎ−Ｔｂ−Ｚｎ系酸化物
、Ｉｎ−Ｄｙ−Ｚｎ系酸化物、Ｉｎ−Ｈｏ−Ｚｎ系酸化物、Ｉｎ−Ｅｒ−Ｚｎ系酸化物、
Ｉｎ−Ｔｍ−Ｚｎ系酸化物、Ｉｎ−Ｙｂ−Ｚｎ系酸化物、Ｉｎ−Ｌｕ−Ｚｎ系酸化物、四
元系金属の酸化物であるＩｎ−Ｓｎ−Ｇａ−Ｚｎ系酸化物、Ｉｎ−Ｈｆ−Ｇａ−Ｚｎ系酸
化物、Ｉｎ−Ａｌ−Ｇａ−Ｚｎ系酸化物、Ｉｎ−Ｓｎ−Ａｌ−Ｚｎ系酸化物、Ｉｎ−Ｓｎ
−Ｈｆ−Ｚｎ系酸化物、Ｉｎ−Ｈｆ−Ａｌ−Ｚｎ系酸化物を用いることができる。
【００５６】
なお、ここで、例えば、Ｉｎ−Ｇａ−Ｚｎ系酸化物とは、ＩｎとＧａとＺｎを主成分とし
て有する酸化物という意味であり、ＩｎとＧａとＺｎの比率は問わない。また、ＩｎとＧ
ａとＺｎ以外の金属元素が入っていてもよい。
【００５７】
また、酸化物半導体として、ＩｎＭＯ３（ＺｎＯ）ｍ（ｍ＞０、且つ、ｍは整数でない）
で表記される材料を用いてもよい。なお、Ｍは、Ｇａ、Ｆｅ、Ｍｎ及びＣｏから選ばれた
一の金属元素または複数の金属元素を示す。また、酸化物半導体として、Ｉｎ２ＳｎＯ５
（ＺｎＯ）ｎ（ｎ＞０、且つ、ｎは整数）で表記される材料を用いてもよい。
【００５８】
例えば、Ｉｎ：Ｇａ：Ｚｎ＝１：１：１（＝１／３：１／３：１／３）あるいはＩｎ：Ｇ
ａ：Ｚｎ＝２：２：１（＝２／５：２／５：１／５）の原子比のＩｎ−Ｇａ−Ｚｎ系酸化
物やその組成の近傍の酸化物を用いることができる。あるいは、Ｉｎ：Ｓｎ：Ｚｎ＝１：
１：１（＝１／３：１／３：１／３）、Ｉｎ：Ｓｎ：Ｚｎ＝２：１：３（＝１／３：１／
６：１／２）あるいはＩｎ：Ｓｎ：Ｚｎ＝２：１：５（＝１／４：１／８：５／８）の原
子比のＩｎ−Ｓｎ−Ｚｎ系酸化物やその組成の近傍の酸化物を用いるとよい。
【００５９】
しかし、これらに限られず、必要とする半導体特性（移動度、しきい値、ばらつき等）に
応じて適切な組成のものを用いればよい。また、必要とする半導体特性を得るために、キ
ャリア濃度や不純物濃度、欠陥密度、金属元素と酸素の原子数比、原子間結合距離、密度
等を適切なものとすることが好ましい。
【００６０】
例えば、Ｉｎ−Ｓｎ−Ｚｎ系酸化物では比較的容易に高い移動度が得られる。しかしなが
ら、Ｉｎ−Ｇａ−Ｚｎ系酸化物でも、バルク内欠陥密度を低減することにより移動度を上
げることができる。
【００６１】
なお、例えば、Ｉｎ、Ｇａ、Ｚｎの原子数比がＩｎ：Ｇａ：Ｚｎ＝ａ：ｂ：ｃ（ａ＋ｂ＋
ｃ＝１）である酸化物の組成が、原子数比がＩｎ：Ｇａ：Ｚｎ＝Ａ：Ｂ：Ｃ（Ａ＋Ｂ＋Ｃ
＝１）の酸化物の組成の近傍であるとは、ａ、ｂ、ｃが、（ａ−Ａ）２＋（ｂ−Ｂ）２＋
（ｃ−Ｃ）２≦ｒ２を満たすことを言う。ｒとしては、例えば、０．０５とすればよい。
他の酸化物でも同様である。
【００６２】
なお、結晶性酸化物半導体層４０１ａは、成膜時に酸素が多く含まれるような条件（例え
ば、酸素１００％の雰囲気下でスパッタリング法により成膜を行うなど）で成膜して、酸
素を多く含む（好ましくは酸化物半導体が結晶状態における化学量論的組成比に対し、酸
素の含有量が過剰な領域が含まれている）膜とすることが好ましい。
【００６３】
酸化物半導体層をスパッタリング法で作製するためのターゲットとしては、例えば、組成
比として、Ｉｎ２Ｏ３：Ｇａ２Ｏ３：ＺｎＯ＝１：１：２［ｍｏｌ比］の金属酸化物ター
ゲットを用い、Ｉｎ−Ｇａ−Ｚｎ膜を成膜する。また、このターゲットの材料及び組成に
限定されず、例えば、Ｉｎ２Ｏ３：Ｇａ２Ｏ３：ＺｎＯ＝１：１：１［ｍｏｌ比］の金属
酸化物ターゲットを用いてもよい。
【００６４】
また、金属酸化物ターゲットの充填率は９０％以上１００％以下、好ましくは９５％以上
９９．９％以下である。充填率の高い金属酸化物ターゲットを用いることにより、成膜し
た酸化物半導体層は緻密な膜とすることができる。
【００６５】
本実施の形態では、結晶性酸化物半導体層４０１ａをＩｎ−Ｇａ−Ｚｎ系金属酸化物ター
ゲットを用いてスパッタリング法によって成膜する。また、結晶性酸化物半導体層４０１
ａを成膜する際の雰囲気を、希ガス（代表的にはアルゴン）雰囲気下、酸素雰囲気下、ま
たは希ガスと酸素の混合雰囲気下とし、成膜温度を２００℃以上４５０℃以下として成膜
を行うことで、結晶領域を有する酸化物半導体層である結晶性酸化物半導体層４０１ａを
形成する。
【００６６】
結晶領域を有する酸化物半導体層として、例えば、ＣＡＡＣ−ＯＳ膜を用いることができ
る。ＣＡＡＣ−ＯＳ膜を得る方法としては、三つ挙げられる。一つ目は、成膜温度を２０
０℃以上４５０℃以下として酸化物半導体層の成膜を行い、表面に概略垂直にｃ軸配向さ
せる方法である。二つ目は、酸化物半導体層を薄い膜厚で成膜した後、２００℃以上７０
０℃以下の熱処理を行い、表面に概略垂直にｃ軸配向させる方法である。三つ目は、一層
目の膜厚を薄く成膜した後、２００℃以上７００℃以下の熱処理を行い、二層目の成膜を
行い、表面に概略垂直にｃ軸配向させる方法である。
【００６７】
結晶性酸化物半導体層４０１ａは、よりバルク内欠陥を低減することができ、表面の平坦
性を高めればアモルファス状態の酸化物半導体以上の移動度を得ることができる。表面の
平坦性を高めるためには、平坦な表面上に酸化物半導体を形成することが好ましく、具体
的には、平均面粗さ（Ｒａ）が１ｎｍ以下、好ましくは０．３ｎｍ以下、より好ましくは
０．１ｎｍ以下の表面上に形成するとよい。
【００６８】
なお、Ｒａは、ＪＩＳ  Ｂ  ０６０１：２００１（ＩＳＯ４２８７：１９９７）で定義さ
れている算術平均粗さを曲面に対して適用できるよう三次元に拡張したものであり、「基
準面から指定面までの偏差の絶対値を平均した値」で表現でき、以下の式にて定義される
。
【００６９】
【数１】
2018148221.tif 000003
【００７０】
ここで、指定面とは、粗さ計測の対象となる面であり、座標（ｘ１，ｙ１，ｆ（ｘ１，ｙ
１）），（ｘ１，ｙ２，ｆ（ｘ１，ｙ２）），（ｘ２，ｙ１，ｆ（ｘ２，ｙ１）），（ｘ
２，ｙ２，ｆ（ｘ２，ｙ２））の４点で表される四角形の領域とし、指定面をｘｙ平面に
投影した長方形の面積をＳ０、基準面の高さ（指定面の平均の高さ）をＺ０とする。Ｒａ
は原子間力顕微鏡（ＡＦＭ：Ａｔｏｍｉｃ  Ｆｏｒｃｅ  Ｍｉｃｒｏｓｃｏｐｅ）にて測
定可能である。
【００７１】
よって、下地絶縁層４０２において結晶性酸化物半導体層４０１ａが接して形成される領
域に、平坦化処理を行ってもよい。平坦化処理としては、特に限定されないが、研磨処理
（例えば、化学的機械研磨（Ｃｈｅｍｉｃａｌ  Ｍｅｃｈａｎｉｃａｌ  Ｐｏｌｉｓｈｉ
ｎｇ：ＣＭＰ）法）、ドライエッチング処理、プラズマ処理を用いることができる。
【００７２】
プラズマ処理としては、例えば、アルゴンガスを導入してプラズマを発生させる逆スパッ
タリングを行うことができる。
【００７３】
平坦化処理として、研磨処理、ドライエッチング処理、プラズマ処理は複数回行ってもよ
く、それらを組み合わせて行ってもよい。また、組み合わせて行う場合、工程順も特に限
定されず、下地絶縁層４０２表面の凹凸状態に合わせて適宜設定すればよい。
【００７４】
結晶性酸化物半導体層４０１ａを成膜後には、当該結晶性酸化物半導体層４０１ａに含ま
れる過剰な水素（水や水酸基を含む）を除去（脱水化または脱水素化）するための熱処理
を行うのが好ましい。熱処理の温度は、代表的には２００℃以上基板４００の歪み点未満
、好ましくは２５０℃以上４５０℃以下とする。
【００７５】
この熱処理によって、ｎ型不純物である水素を酸化物半導体から除去することができる。
例えば、脱水化又は脱水素化処理後の結晶性酸化物半導体層４０１ａに含まれる水素濃度
を、５×１０１９／ｃｍ３以下、好ましくは５×１０１８／ｃｍ３以下とすることができ
る。
【００７６】
なお、脱水化又は脱水素化のための熱処理は、結晶性酸化物半導体層４０１ａの形成後で
あって窒素プラズマ処理工程前であれば、トランジスタ５１０の作製工程においてどのタ
イミングで行ってもよい。ただし、脱水化又は脱水素化のための熱処理を結晶性酸化物半
導体層４０１ａの島状への加工前に行うと、下地絶縁層４０２に含まれる酸素が熱処理に
よって放出されるのを防止することができるため好ましい。
【００７７】
なお、熱処理においては、窒素、またはヘリウム、ネオン、アルゴン等の希ガスに、水、
水素などが含まれないことが好ましい。または、熱処理装置に導入する窒素、またはヘリ
ウム、ネオン、アルゴン等の希ガスの純度を、６Ｎ（９９．９９９９％）以上好ましくは
７Ｎ（９９．９９９９９％）以上（即ち不純物濃度を１ｐｐｍ以下、好ましくは０．１ｐ
ｐｍ以下）とすることが好ましい。
【００７８】
また、熱処理で結晶性酸化物半導体層４０１ａを加熱した後、同じ炉に高純度の酸素ガス
、高純度の一酸化二窒素ガス、又は超乾燥エア（ＣＲＤＳ（キャビティリングダウンレー
ザー分光法）方式の露点計を用いて測定した場合の水分量が２０ｐｐｍ（露点換算で−５
５℃）以下、好ましくは１ｐｐｍ以下、好ましくは１０ｐｐｂ以下の空気）を導入しても
よい。酸素ガスまたは一酸化二窒素ガスに、水、水素などが含まれないことが好ましい。
または、熱処理装置に導入する酸素ガスまたは一酸化二窒素ガスの純度を、６Ｎ以上好ま
しくは７Ｎ以上（即ち、酸素ガスまたは一酸化二窒素ガス中の不純物濃度を１ｐｐｍ以下
、好ましくは０．１ｐｐｍ以下）とすることが好ましい。酸素ガス又は一酸化二窒素ガス
の作用により、脱水化または脱水素化処理による不純物の排除工程によって同時に減少し
てしまった酸化物半導体を構成する主成分材料である酸素を供給することによって、結晶
性酸化物半導体層４０１ａを高純度化及びｉ型（真性）化することができる。
【００７９】
次いで、結晶性酸化物半導体層４０１ａをフォトリソグラフィ工程により島状の結晶性酸
化物半導体層４０１に加工する。なお、島状の結晶性酸化物半導体層４０１を形成するた
めのレジストマスクをインクジェット法で形成してもよい。レジストマスクをインクジェ
ット法で形成すると、フォトマスクを使用しないため、半導体装置の製造コストを低減す
ることができる。
【００８０】
次いで、島状の結晶性酸化物半導体層４０１上にプラズマＣＶＤ法又はスパッタリング法
等により、絶縁層４０３を形成する（図２（Ｂ）参照）。絶縁層４０３は、後の工程でパ
ターン形成されてゲート絶縁層として機能する層である。絶縁層４０３の材料としては、
酸化シリコン膜、酸化ガリウム膜、酸化アルミニウム膜、窒化シリコン膜、酸化窒化シリ
コン膜、酸化窒化アルミニウム膜、または窒化酸化シリコン膜を用いて形成することがで
きる。
【００８１】
また、絶縁層４０３の材料として酸化ハフニウム、酸化イットリウム、ハフニウムシリケ
ート（ＨｆＳｉｘＯｙｘ＞０、ｙ＞０））、窒素が添加されたハフニウムシリケート（Ｈ
ｆＳｉＯｘＮｙ（ｘ＞０、ｙ＞０））、ハフニウムアルミネート（ＨｆＡｌｘＯｙ（ｘ＞
０、ｙ＞０））、酸化ランタンなどのｈｉｇｈ−ｋ材料を用いることでゲートリーク電流
を低減できる。
【００８２】
絶縁層４０３は単層でも積層でもよいが、結晶性酸化物半導体層４０１に接する膜として
は、酸化物絶縁膜が好ましい。本実施の形態では、絶縁層４０３として、結晶性酸化物半
導体層４０１に接する側から酸化シリコン膜と酸化アルミニウム膜とを積層させた絶縁層
を用いる。酸化アルミニウム膜は、水素、水分などの不純物、及び酸素の両方に対して膜
を透過させない遮断効果（ブロック効果）が高く、結晶性酸化物半導体層４０１からの酸
素の放出を防止することができるため、好ましく用いることができる。
【００８３】
絶縁層４０３は、酸素過剰領域を有すると、絶縁層４０３に含まれる過剰な酸素によって
、結晶性酸化物半導体層の酸素欠損を補填することが可能であるため好ましい。絶縁層４
０３に酸素過剰領域を設けるには、例えば、酸素雰囲気下にて絶縁層４０３を成膜すれば
よい。または、成膜後の絶縁層４０３に、酸素（少なくとも、酸素ラジカル、酸素原子、
酸素イオンのいずれかを含む）を注入して、酸素過剰領域を形成しても良い。
【００８４】
なお、絶縁層４０３の成膜前、または絶縁層４０３上から、結晶性酸化物半導体層４０１
へ酸素を注入することで、結晶性酸化物半導体層４０１に酸素過剰領域を形成してもよい
。酸素の注入を、結晶性酸化物半導体層４０１に積層された膜越しに行うと、酸素の注入
深さ（注入領域）がより制御しやすくなるため、結晶性酸化物半導体層４０１中へ酸素を
効率よく注入できるという利点がある。一方で、結晶性酸化物半導体層４０１が露出した
状態で酸素の注入を行うと、結晶性酸化物半導体層４０１の表面の平坦性を向上させるこ
とができる。
【００８５】
結晶性酸化物半導体層４０１への酸素の注入深さは、加速電圧、ドーズ量などの注入条件
、また通過させる絶縁層４０３の膜厚を適宜設定して制御すればよい。酸素注入処理によ
って結晶性酸化物半導体層４０１の酸素の含有量を、その化学量論的組成比を超える程度
とするのが好ましい。例えば、酸素注入処理によって導入された結晶性酸化物半導体層４
０１における酸素濃度のピークを１×１０１８／ｃｍ３以上５×１０２１／ｃｍ３以下と
するのが好ましい。
【００８６】
絶縁層４０３として酸化物絶縁膜を成膜した場合、又は、絶縁層４０３が酸素過剰領域を
有する場合、絶縁層４０３を成膜後に熱処理を行うのが好ましい。熱処理の温度は、例え
ば、２５０℃以上４５０℃以下とする。該熱処理は、窒素、酸素、超乾燥空気、または希
ガス（アルゴン、ヘリウムなど）の雰囲気下で行えばよいが、上記窒素、酸素、超乾燥空
気、または希ガス等の雰囲気に水、水素などが含まれないことが好ましい。また、熱処理
装置に導入する窒素、酸素、または希ガスの純度を、６Ｎ（９９．９９９９％）以上好ま
しくは７Ｎ（９９．９９９９９％）以上（即ち不純物濃度を１ｐｐｍ以下、好ましくは０
．１ｐｐｍ以下）とすることが好ましい。
【００８７】
この熱処理によって、脱水化又は脱水素化を目的とした熱処理によって同時に減少してし
まう酸化物半導体を構成する主成分材料の一つである酸素を、酸素を含有する絶縁層（図
２（Ｂ）では絶縁層４０３）より結晶性酸化物半導体層４０１へ供給することができる。
これによって、結晶性酸化物半導体層４０１を高純度化及びｉ型（真性）化することがで
きる。また、結晶性酸化物半導体層４０１に酸素過剰領域を形成することで、酸素欠損を
補填することができるため、結晶性酸化物半導体層４０１中の電荷捕獲中心を低減するこ
とができる。なお、熱処理のタイミングは、本実施の形態の構成に限定されない。
【００８８】
結晶性酸化物半導体層において、酸素が脱離した箇所では酸素欠損が存在し、該酸素欠損
に起因してトランジスタの電気的特性変動を招くドナー準位が生じてしまう。よって、脱
水化又は脱水素化処理を行った結晶性酸化物半導体層４０４に、酸素を供給することによ
り、膜中の酸素欠損を補填することができるため、好ましい。このような結晶性酸化物半
導体層をトランジスタに用いることで、酸素欠損に起因するトランジスタのしきい値電圧
Ｖｔｈのばらつき、しきい値電圧のシフト（変動）を低減することができる。また、しき
い値電圧をプラスシフトさせ、トランジスタをノーマリーオフ化することもできる。
【００８９】
なお、結晶性酸化物半導体層４０１への酸素注入処理を行うと、酸化物半導体層中に含ま
れる結晶構造が乱されて非晶質化することがあるが、上述の酸素欠陥の補填を目的とした
熱処理を行うことによって、再度結晶化することが可能である。
【００９０】
次いで、ゲート絶縁層４０６上にゲート電極（これと同じ層で形成される配線を含む）と
なる導電膜を成膜し、これを加工してゲート電極４１０を形成する。ゲート電極４１０は
、プラズマＣＶＤ法又はスパッタリング法等により、モリブデン、チタン、タンタル、タ
ングステン、アルミニウム、銅、ネオジム、スカンジウム等の金属材料又はこれらを主成
分とする合金材料を用いて形成することができる。また、ゲート電極４１０としてリン等
の不純物元素をドーピングした多結晶シリコン膜に代表される半導体膜、ニッケルシリサ
イドなどのシリサイド膜を用いてもよい。ゲート電極４１０は、単層構造としてもよいし
積層構造としてもよい。
【００９１】
次いで、ゲート電極４１０をマスクとして絶縁層４０３をエッチングして、ゲート絶縁層
４０６を形成すると共に、結晶性酸化物半導体層４０１の一部の領域（ゲート電極４１０
と重畳しない領域）を露出させる（図２（Ｃ）参照）。
【００９２】
次いで、結晶性酸化物半導体層４０４の露出した領域に窒素プラズマ４２１を照射する。
この窒素プラズマ処理によって、当該露出した領域である結晶性酸化物半導体層４０４の
一部が窒化されることにより、ｎ型化したソース領域４０４ａ及びドレイン領域４０４ｂ
と、チャネル形成領域４０４ｃとを有する結晶性酸化物半導体層４０４が形成される（図
２（Ｄ）参照）。ここで、ソース領域４０４ａ及びドレイン領域４０４ｂに挟まれた領域
であるチャネル形成領域４０４ｃは、窒素プラズマ４２１へ曝露されないため、ｉ型又は
実質的にｉ型化した結晶性の酸化物半導体層である。
【００９３】
窒素プラズマ処理は、例えば高密度プラズマ処理装置を用いて行うことができる。高密度
プラズマ処理装置を用いた窒素プラズマ処理の一例を以下に説明する。プラズマ処理室に
窒素及び希ガスの混合ガスを供給した後、マイクロ波をプラズマ処理室に導入することで
、窒素及び希ガスの混合ガスのプラズマが生成される。このプラズマ中では、導入された
マイクロ波によって希ガスが励起されて希ガスラジカルが生成され、この希ガスラジカル
と窒素分子とが衝突することにより、窒素ラジカルが生成される。そして、プラズマ中で
生成された窒素ラジカルと、結晶性酸化物半導体層の露出した領域に含まれる金属元素ま
たは酸素とが反応することにより当該領域の結晶性酸化物半導体層が窒化される。
【００９４】
なお、窒素プラズマ処理に適用可能なガスは上述の混合ガスに限られず、例えば、窒素、
水素及び希ガスの混合ガス、又は、ＮＨ３と希ガスの混合ガス等を適宜用いることができ
る。これらの混合ガスのプラズマ中には、窒素ラジカル及びＮＨラジカルが生成され、こ
れらのラジカルによって結晶性酸化物半導体層の一部が窒化される。
【００９５】
また、窒素プラズマ処理のための加熱温度は、１００℃以上５５０℃以下の範囲とするこ
とができる。但し、窒素プラズマ処理の加熱温度が比較的高温（例えば、４５０℃以上）
であると、ソース領域４０４ａ及びドレイン領域４０４ｂをより低抵抗化することが可能
であるため、好ましい。
【００９６】
また、窒素プラズマ処理は、結晶性酸化物半導体層へのダメージが少なく、反応性の高い
中性原子または中性分子が結晶性酸化物半導体層に含まれる金属元素と結合する処理であ
る。窒素プラズマ処理により、結晶性酸化物半導体層の結晶性を向上させることが可能で
ある。よって、当該処理によって形成されるソース領域４０４ａ及びドレイン領域４０４
ｂ（少なくともそれらの領域の表面近傍）としては、結晶性酸窒化半導体層、又は結晶性
窒化半導体層が形成され、且つこれらの領域は、チャネル形成領域４０４ｃよりも結晶性
の高い領域である。なお、窒素プラズマ処理によって、ゲート電極４１０の表面も窒化さ
れうる。
【００９７】
例えば、結晶性酸化物半導体層１４４として、Ｉｎ−Ｇａ−Ｚｎ−Ｏ膜を用いた場合、窒
素プラズマ処理を行うことで、Ｉｎ−Ｇａ−Ｚｎ−Ｏ膜の表面近傍（例えば、表面から５
ｎｍ程度）において、Ｚｎ及び／または酸素が窒素と置換されて、Ｉｎ−Ｇａ−Ｚｎ−Ｏ
−Ｎ膜が形成される。
【００９８】
ソース領域４０４ａ及びドレイン領域４０４ｂは、ゲート電極４１０をマスクにして結晶
性酸化物半導体層４０１に窒素を添加することで形成できる。ゲート電極４１０をマスク
にしてソース領域４０４ａ及びドレイン領域４０４ｂを形成することよって、ソース領域
４０４ａ及びドレイン領域４０４ｂと、ゲート電極４１０との重なりが生じない。よって
、余分な寄生容量を低減することができるため、作製されるトランジスタ５１０を高速動
作させることができる。
【００９９】
次いで、結晶性酸化物半導体層４０４及びゲート電極４１０を覆う絶縁層４１２を形成し
、該絶縁層４１２においてソース領域４０４ａ及びドレイン領域４０４ｂと重畳する領域
にそれぞれ開口部（コンタクトホールとも表記する）を設ける。その後、当該コンタクト
ホールを介してソース領域４０４ａ又はドレイン領域４０４ｂとそれぞれ接するソース電
極４１５ａ及びドレイン電極４１５ｂを形成する（図２（Ｅ））。これによって、トラン
ジスタ５１０を形成することができる。
【０１００】
なお、図示しないが、コンタクトホールを開口する際に、結晶性酸化物半導体層４０４の
一部（ソース領域４０４ａ、ドレイン領域４０４ｂの一部）がエッチングされて、凹部を
有する結晶性酸化物半導体層４０４となる場合がある。
【０１０１】
絶縁層４１２の材料は、酸化シリコン、酸化窒化シリコン、窒化酸化シリコン、窒化シリ
コン、酸化アルミニウム、窒化アルミニウムを単層または積層させて用いることができ、
スパッタリング法、ＣＶＤ法などで成膜すればよい。このとき、加熱により酸素を放出し
にくい材料を用いることが好ましい。これは、ソース領域４０４ａ及びドレイン領域４０
４ｂの導電率を低下させないためである。具体的には、例えば、ＣＶＤ法により、シラン
ガスを主材料とし、酸化窒素ガス、窒素ガス、水素ガスおよび希ガスから適切な原料ガス
を混合して成膜すればよい。また、基板温度を３００℃以上５５０℃以下とすればよい。
ＣＶＤ法を用いることで、加熱により酸素を放出しにくい材料とすることができる。また
、シランガスを主材料とすることで膜中に水素が残留し、該水素が拡散することでソース
領域４０４ａ及びドレイン領域４０４ｂの導電率をさらに高めることができる。絶縁層４
１２中の水素濃度は、０．１原子％以上２５原子％以下とすればよい。
【０１０２】
また、ソース電極４１５ａ及びドレイン電極４１５ｂは、プラズマＣＶＤ法又はスパッタ
リング法等により、モリブデン、チタン、タンタル、タングステン、アルミニウム、銅、
ネオジム、スカンジウム等の金属材料又はこれらを主成分とする合金材料を用いて、単層
または積層で形成することができる。
【０１０３】
本実施の形態で示すトランジスタ５１０は、結晶性酸化物半導体層４０４において、ソー
ス電極４１５ａ又はドレイン電極４１５ｂと接する領域に、ソース領域４０４ａ又はドレ
イン領域４０４ｂをそれぞれ有する。これによって、結晶性酸化物半導体層４０４とソー
ス電極４１５ａ又はドレイン電極４１５ｂとのコンタクトをオーミック性のコンタクトと
することができ、ショットキー接合と比較して熱的にも安定な動作が可能となる。また、
そのコンタクト抵抗を低減させることができる。それらの結果として、トランジスタ５１
０のオン電流を増加させることができる。
【０１０４】
また、チャネルのキャリアを供給する（ソース側）、またはチャネルのキャリアを安定し
て吸収する（ドレイン側）、またはソース電極（またはドレイン電極）との界面に抵抗成
分が形成されるのを抑制するためにもソース領域４０４ａ及びドレイン領域４０４ｂを設
けることは重要である。また、ｎ＋層を設けることで、高いドレイン電圧でも良好な移動
度を保持することができる。
【０１０５】
本実施の形態に示す構成、方法などは、他の実施の形態に示す構成、方法などと適宜組み
合わせて用いることができる。
【０１０６】
（実施の形態２）
本実施の形態では、実施の形態１とは異なる本発明の一態様の半導体装置及びその作製方
法について、図３乃至図５を用いて説明する。なお、実施の形態１と同一部分又は同様な
機能を有する部分、及び工程は、実施の形態１と同様に行うことができ、繰り返しの説明
は省略する。
【０１０７】
図３（Ａ）に半導体装置の例として、トランジスタ５２０の断面図を示す。図３（Ａ）に
示すトランジスタ５２０は、絶縁表面を有する基板４００上に、下地絶縁層４０２と、ソ
ース領域４０４ａ、ドレイン領域４０４ｂ及びチャネル形成領域４０４ｃを含む結晶性酸
化物半導体層４０４と、ゲート絶縁層４０６と、ゲート電極４１０と、ソース領域４０４
ａにおいて結晶性酸化物半導体層４０４と接するソース電極４０５ａと、ドレイン領域４
０４ｂにおいて結晶性酸化物半導体層４０４と接するドレイン電極４０５ｂと、ソース電
極４０５ａ、ドレイン電極４０５ｂ及び結晶性酸化物半導体層４０４を覆う絶縁層４１４
と、を含んで構成される。なお、下地絶縁層４０２及び絶縁層４１４は、必ずしもトラン
ジスタ５２０の構成要素としなくともよい。
【０１０８】
また、図３（Ｂ）に半導体装置の他の例として、トランジスタ５３０の断面図を示す。図
３（Ｂ）に示すトランジスタ５３０は、絶縁表面を有する基板４００上に、ゲート電極４
１０と、ゲート絶縁層４０６と、ソース領域４０４ａ、ドレイン領域４０４ｂ及びチャネ
ル形成領域４０４ｃを含む結晶性酸化物半導体層４０４と、チャネル形成領域４０４ｃ上
に設けられたチャネル保護層４１６と、ソース領域４０４ａにおいて結晶性酸化物半導体
層４０４と接するソース電極４０５ａと、ドレイン領域４０４ｂにおいて結晶性酸化物半
導体層４０４と接するドレイン電極４０５ｂと、ソース電極４０５ａ、ドレイン電極４０
５ｂ及びチャネル保護層４１６を覆う絶縁層４１４と、を含んで構成される。なお、チャ
ネル保護層４１６及び絶縁層４１４は、必ずしもトランジスタ５３０の構成要素としなく
ともよい。
【０１０９】
以下、図４（Ａ）及び図４（Ｂ）を用いて、トランジスタ５２０の作製工程の一例を示す
。
【０１１０】
まず、図２（Ａ）乃至図２（Ｄ）で示した工程によって、基板４００上に設けられた下地
絶縁層４０２と、下地絶縁層４０２上に設けられ、ソース領域４０４ａ、ドレイン領域４
０４ｂ及びチャネル形成領域４０４ｃを含む結晶性酸化物半導体層４０４と、チャネル形
成領域４０４ｃ上に接して設けられたゲート絶縁層４０６と、ゲート絶縁層４０６を介し
てチャネル形成領域４０４ｃ上に設けられたゲート電極４１０と、を形成する。
【０１１１】
次いで、結晶性酸化物半導体層４０４及びゲート電極４１０上に、ソース電極４０５ａ及
びドレイン電極４０５ｂ（これと同じ層で形成される配線も含む）となる導電膜４０５を
成膜する（図４（Ａ）参照）。
【０１１２】
導電膜４０５は、ソース電極４１５ａ及びドレイン電極４１５ｂと同様の材料及び作製方
法を用いて形成することができる。
【０１１３】
次いで、導電膜４０５をフォトリソグラフィ工程により加工して、ソース電極４０５ａ及
びドレイン電極４０５ｂを形成する。なお、導電膜４０５を加工するためのレジストマス
クをインクジェット法で形成してもよい。レジストマスクをインクジェット法で形成する
と、フォトマスクを使用しないため、半導体装置の製造コストを低減することができる。
【０１１４】
なお、導電膜４０５のエッチングの際に結晶性酸化物半導体層４０４がなるべく除去され
ないようにそれぞれの材料及びエッチング条件を適宜調整する。但し、エッチング条件に
よっては、結晶性酸化物半導体層４０４の露出した領域（ゲート電極４１０、ソース電極
４０５ａ又はドレイン電極４０５ｂのいずれとも重畳しない領域）が一部エッチングされ
ることで、溝部（凹部）が形成されることもある。
【０１１５】
次いで、ソース電極４０５ａ、ドレイン電極４０５ｂ及び結晶性酸化物半導体層４０４を
覆う絶縁層４１４を形成する。これによって、トランジスタ５２０を形成することができ
る（図４（Ｂ）参照）。
【０１１６】
絶縁層４１４は、絶縁層４１２と同様の材料及び作製方法を用いて形成することができる
。
【０１１７】
また、図５（Ａ）乃至図５（Ｄ）を用いて、トランジスタ５３０の作製工程の一例を示す
。
【０１１８】
まず、絶縁表面を有する基板４００上に、ゲート電極（これと同じ層で形成される配線を
含む）となる導電膜を成膜し、これを加工してゲート電極４１０を形成する。次いで、ゲ
ート電極４１０を覆うゲート絶縁層４０６を形成する。ゲート絶縁層４０６は酸素過剰領
域を有することが好ましい。
【０１１９】
次いで、ゲート絶縁層４０６上に結晶性酸化物半導体層４０１ａを成膜する（図５（Ａ）
参照）。なお、ゲート絶縁層４０６と結晶性酸化物半導体層４０１ａとを大気に解放せず
に連続的に形成することが好ましい。ゲート絶縁層４０６と結晶性酸化物半導体層４０１
ａとを大気に曝露せずに連続して形成すると、ゲート絶縁層４０６表面に水素や水分など
の不純物が吸着することを防止することができる。
【０１２０】
結晶性酸化物半導体層４０１ａを成膜後には、当該結晶性酸化物半導体層４０１ａに含ま
れる過剰な水素（水や水酸基を含む）を除去（脱水化または脱水素化）するための熱処理
を行うのが好ましい。なお、脱水化又は脱水素化のための熱処理は、結晶性酸化物半導体
層４０１ａの形成後であって窒素プラズマ処理工程前であれば、トランジスタ５３０の作
製工程においてどのタイミングで行ってもよい。ただし、脱水化又は脱水素化のための熱
処理を結晶性酸化物半導体層４０１ａの島状への加工前に行うと、ゲート絶縁層４０６に
含まれる酸素が熱処理によって放出されるのを防止することができるため好ましい。
【０１２１】
また、熱処理で結晶性酸化物半導体層４０１ａを加熱した後、同じ炉に高純度の酸素ガス
、高純度の一酸化二窒素ガス、又は超乾燥エアを導入してもよい。酸素ガス又は一酸化二
窒素ガスの作用により、脱水化または脱水素化処理による不純物の排除工程によって同時
に減少してしまった酸化物半導体を構成する主成分材料である酸素を供給することによっ
て、酸化物半導体膜を高純度化及びｉ型（真性）化することができる。
【０１２２】
次いで、結晶性酸化物半導体層４０１ａをフォトリソグラフィ工程により島状の結晶性酸
化物半導体層４０１に加工する。その後、島状の結晶性酸化物半導体層４０１上に、絶縁
層４１６ａを成膜する（図５（Ｂ）参照）。絶縁層４１６ａは、後の工程でパターン形成
されてチャネル保護層４１６として機能する層である。
【０１２３】
絶縁層４１６ａは、絶縁層４０３と同様の材料及び作製方法を用いて形成することができ
る。但し、絶縁層４１６ａは、酸化物絶縁膜を含む単層または積層構造として、該酸化物
絶縁膜が結晶性酸化物半導体層４０１と接する構造とするのが好ましい。
【０１２４】
また、絶縁層４１６ａは酸素過剰領域を有すると、絶縁層４１６ａに含まれる過剰な酸素
によって、結晶性酸化物半導体層４０１の酸素欠損を補填することが可能であるため好ま
しい。絶縁層４１６ａが積層構造の場合は、少なくとも結晶性酸化物半導体層４０１と接
する層において酸素過剰領域を有するのが好ましい。絶縁層４１６ａに酸素過剰領域を設
けるには、例えば、酸素雰囲気下にて絶縁層４１６ａを成膜すればよい。または、成膜後
の絶縁層４１６ａに、酸素を注入して、酸素過剰領域を形成しても良い。
【０１２５】
なお、絶縁層４１６ａの成膜前、または絶縁層４１６ａ上から、結晶性酸化物半導体層４
０１へ酸素を注入することで、結晶性酸化物半導体層４０１に酸素過剰領域を形成しても
よい。
【０１２６】
絶縁層４１６ａとして酸化物絶縁膜を成膜した場合、又は、絶縁層４１６ａが酸素過剰領
域を有する場合、絶縁層４１６ａを成膜後に熱処理を行うのが好ましい。この熱処理によ
って、脱水化又は脱水素化を目的とした熱処理によって同時に減少してしまう酸化物半導
体を構成する主成分材料の一つである酸素を、酸素を含有する絶縁層（図５（Ｂ）では絶
縁層４１６ａ）より結晶性酸化物半導体層４０１へ供給することができる。これによって
、結晶性酸化物半導体層４０１を高純度化及びｉ型（真性）化することができる。また、
結晶性酸化物半導体層４０１に酸素過剰領域を形成することで、酸素欠損を直ちに補填す
ることができるため、結晶性酸化物半導体層４０１中の電荷捕獲中心を低減することがで
きる。なお、熱処理のタイミングは、本実施の形態の構成に限定されない。
【０１２７】
なお、結晶性酸化物半導体層４０１への酸素注入処理を行うと、酸化物半導体層４０１中
に含まれる結晶構造が乱されて非晶質化することがあるが、上述の酸素欠陥の補填を目的
とした熱処理を行うことによって、再度結晶化することが可能である。
【０１２８】
次いで、絶縁層４１６ａをフォトリソグラフィ工程により加工してチャネル保護層４１６
を形成する。なお、チャネル保護層４１６を形成するためのレジストマスクをインクジェ
ット法で形成してもよい。レジストマスクをインクジェット法で形成すると、フォトマス
クを使用しないため、半導体装置の製造コストを低減することができる。
【０１２９】
次いで、チャネル保護層４１６をマスクとして、結晶性酸化物半導体層４０４の露出した
領域に窒素プラズマ４２１を照射する。この窒素プラズマ処理によって、当該露出した領
域である結晶性酸化物半導体層４０４の一部が窒化されることにより、ｎ型化したソース
領域４０４ａ及びドレイン領域４０４ｂと、チャネル形成領域４０４ｃとを有する結晶性
酸化物半導体層４０４が形成される（図５（Ｃ）参照）。ここで、ソース領域４０４ａ及
びドレイン領域４０４ｂに挟まれた領域であるチャネル形成領域４０４ｃは、窒素プラズ
マ４２１へ曝露されないため、ｉ型又は実質的にｉ型化した結晶性の酸化物半導体層であ
る。
【０１３０】
ボトムゲート構造のトランジスタ５３０において、ソース領域４０４ａ及びドレイン領域
４０４ｂは、チャネル保護層４１６をマスクにして、結晶性酸化物半導体層４０１に窒素
プラズマを照射することで形成できる。チャネル保護層４１６は、結晶性酸化物半導体層
４０４のバックチャネル部分を保護する機能を有する。但し、ソース領域４０４ａ及びド
レイン領域４０４ｂを形成後にチャネル保護層４１６を除去してもよい。
【０１３１】
次いで、結晶性酸化物半導体層４０４及びチャネル保護層４１６上に、ソース電極４０５
ａ及びドレイン電極４０５ｂ（これと同じ層で形成される配線も含む）となる導電膜を成
膜し、これを加工してソース電極４０５ａ及びドレイン電極４０５ｂを形成する。ソース
電極４０５ａ及びドレイン電極４０５ｂは、ソース電極４１５ａ及びドレイン電極４１５
ｂと同様の材料及び作製方法を用いて形成することができる。
【０１３２】
次いで、ソース電極４０５ａ、ドレイン電極４０５ｂ及びチャネル保護層４１６を覆う絶
縁層４１４を形成する。これによって、トランジスタ５３０を形成することができる（図
５（Ｄ）参照）。
【０１３３】
絶縁層４１４は、絶縁層４１２と同様の材料及び作製方法を用いて形成することができる
。
【０１３４】
本実施の形態で示すトランジスタ５２０及びトランジスタ５３０は、結晶性酸化物半導体
層４０４において、ソース電極４０５ａ又はドレイン電極４０５ｂと接する領域に、ソー
ス領域４０４ａ又はドレイン領域４０４ｂをそれぞれ有する。これによって、結晶性酸化
物半導体層４０４とソース電極４０５ａ又はドレイン電極４０５ｂとのコンタクトをオー
ミック性のコンタクトとすることができ、ショットキー接合と比較して熱的にも安定な動
作が可能となる。また、そのコンタクト抵抗を低減させることができる。それらの結果と
して、トランジスタ５２０及びトランジスタ５３０のオン電流を増加させることができる
。
【０１３５】
また、チャネルのキャリアを供給する（ソース側）、またはチャネルのキャリアを安定し
て吸収する（ドレイン側）、またはソース電極（またはドレイン電極）との界面に抵抗成
分が形成されるのを抑制するためにもソース領域４０４ａ及びドレイン領域４０４ｂを設
けることは重要である。また、ｎ＋層を設けることで、高いドレイン電圧でも良好な移動
度を保持することができる。
【０１３６】
また、本実施の形態で示すトランジスタ５２０及びトランジスタ５３０は、ソース領域４
０４ａ、ドレイン領域４０４ｂ、及びチャネル形成領域４０４ｃをそれぞれ結晶性領域と
することで、ソース領域４０４ａ、チャネル形成領域４０４ｃ及びドレイン領域４０４ｂ
の接合状態を良好とすることができる。また、ソース領域４０４ａ、ドレイン領域４０４
ｂ、及びチャネル形成領域４０４ｃをそれぞれ結晶性領域とすることで結晶性酸化物半導
体層４０４におけるバンド内準位を低減させることができる。よって、トランジスタ特性
を向上させることができる。トランジスタ５２０及びトランジスタ５３０の信頼性を向上
させることができる。
【０１３７】
本実施の形態に示す構成、方法などは、他の実施の形態に示す構成、方法などと適宜組み
合わせて用いることができる。
【０１３８】
（実施の形態３）
実施の形態１または２で一例を示したトランジスタを用いて表示機能を有する半導体装置
（表示装置ともいう）を作製することができる。また、トランジスタを含む駆動回路の一
部または全体を、画素部と同じ基板上に一体形成し、システムオンパネルを形成すること
ができる。
【０１３９】
図６（Ａ）において、第１の基板４００１上に設けられた画素部４００２を囲むようにし
て、シール材４００５が設けられ、第２の基板４００６によって封止されている。図６（
Ａ）においては、第１の基板４００１上のシール材４００５によって囲まれている領域と
は異なる領域に、別途用意された基板上に単結晶半導体膜又は多結晶半導体膜で形成され
た走査線駆動回路４００４、信号線駆動回路４００３が実装されている。また信号線駆動
回路４００３と走査線駆動回路４００４を通して画素部４００２に与えられる各種信号及
び電位は、ＦＰＣ（Ｆｌｅｘｉｂｌｅ  ｐｒｉｎｔｅｄ  ｃｉｒｃｕｉｔ）４０１８ａ、
４０１８ｂから供給されている。
【０１４０】
図６（Ｂ）（Ｃ）において、第１の基板４００１上に設けられた画素部４００２と、走査
線駆動回路４００４とを囲むようにして、シール材４００５が設けられている。また画素
部４００２と、走査線駆動回路４００４の上に第２の基板４００６が設けられている。よ
って画素部４００２と、走査線駆動回路４００４とは、第１の基板４００１とシール材４
００５と第２の基板４００６とによって、表示素子と共に封止されている。図６（Ｂ）（
Ｃ）においては、第１の基板４００１上のシール材４００５によって囲まれている領域と
は異なる領域に、別途用意された基板上に単結晶半導体膜又は多結晶半導体膜で形成され
た信号線駆動回路４００３が実装されている。図６（Ｂ）（Ｃ）においては、信号線駆動
回路４００３と走査線駆動回路４００４を通して画素部４００２に与えられる各種信号及
び電位は、ＦＰＣ４０１８から供給されている。
【０１４１】
また図６（Ｂ）（Ｃ）においては、信号線駆動回路４００３を別途形成し、第１の基板４
００１に実装している例を示しているが、この構成に限定されない。走査線駆動回路を別
途形成して実装してもよいし、信号線駆動回路の一部または走査線駆動回路の一部のみを
別途形成して実装してもよい。
【０１４２】
なお、別途形成した駆動回路の接続方法は、特に限定されるものではなく、ＣＯＧ（Ｃｈ
ｉｐ  Ｏｎ  Ｇｌａｓｓ）方法、ワイヤボンディング方法、或いはＴＡＢ（Ｔａｐｅ  Ａ
ｕｔｏｍａｔｅｄ  Ｂｏｎｄｉｎｇ）方法などを用いることができる。図６（Ａ）は、Ｃ
ＯＧ方法により信号線駆動回路４００３、走査線駆動回路４００４を実装する例であり、
図６（Ｂ）は、ＣＯＧ方法により信号線駆動回路４００３を実装する例であり、図６（Ｃ
）は、ＴＡＢ方法により信号線駆動回路４００３を実装する例である。
【０１４３】
なお、表示装置とは、表示素子が封止された状態にあるパネルと、該パネルにコントロー
ラを含むＩＣ等を実装した状態にあるモジュールとを含む。
【０１４４】
すなわち、本明細書中における表示装置とは、画像表示デバイス、表示デバイス、もしく
は光源（照明装置含む）を指す。また、表示素子が封止された状態にあるパネルだけでな
く、コネクター、例えばＦＰＣもしくはＴＡＢテープもしくはＴＣＰが取り付けられたモ
ジュール、ＴＡＢテープやＴＣＰの先にプリント配線板が設けられたモジュール、または
表示素子にＣＯＧ方式によりＩＣ（集積回路）が直接実装されたモジュールも全て表示装
置に含むものとする。
【０１４５】
また第１の基板上に設けられた画素部及び走査線駆動回路は、トランジスタを複数有して
おり、実施の形態１又は２で一例を示したトランジスタを適用することができる。
【０１４６】
表示装置に設けられる表示素子としては液晶素子（液晶表示素子ともいう）、発光素子（
発光表示素子ともいう）、を用いることができる。発光素子は、電流または電圧によって
輝度が制御される素子をその範疇に含んでおり、具体的には無機ＥＬ（Ｅｌｅｃｔｒｏ  
Ｌｕｍｉｎｅｓｃｅｎｃｅ）、有機ＥＬ等が含まれる。また、電子インク表示装置（電子
ペーパー）など、電気的作用によりコントラストが変化する表示媒体も適用することがで
きる。
【０１４７】
半導体装置の一形態について、図６及び図７を用いて説明する。図７は、図６（Ｂ）のＭ
−Ｎにおける断面図に相当する。
【０１４８】
図６及び図７で示すように、半導体装置は接続端子電極４０１５及び端子電極４０１６を
有しており、接続端子電極４０１５及び端子電極４０１６はＦＰＣ４０１８が有する端子
と異方性導電膜４０１９を介して、電気的に接続されている。
【０１４９】
接続端子電極４０１５は、第１の電極層４０３０と同じ導電膜から形成され、端子電極４
０１６は、トランジスタ４０１０、４０１１のソース電極層及びドレイン電極層と同じ導
電膜で形成されている。
【０１５０】
また第１の基板４００１上に設けられた画素部４００２と、走査線駆動回路４００４は、
トランジスタを複数有しており、図６及び図７では、画素部４００２に含まれるトランジ
スタ４０１０と、走査線駆動回路４００４に含まれるトランジスタ４０１１とを例示して
いる。図７（Ａ）では、トランジスタ４０１０、４０１１上には絶縁層４０２０が設けら
れ、図７（Ｂ）ではさらに、絶縁層４０２１が設けられている。なお、絶縁層４０２３は
下地膜として機能する絶縁層である。
【０１５１】
トランジスタ４０１０、トランジスタ４０１１としては、実施の形態１又は２で一例を示
したトランジスタを適用することができる。本実施の形態では、実施の形態２で示したト
ランジスタ５２０と同様な構造を有するトランジスタを適用する例を示す。
【０１５２】
トランジスタ４０１０及びトランジスタ４０１１はチャネル長方向にチャネル形成領域を
挟んでソース領域又はドレイン領域として機能する低抵抗領域（以下、単に低抵抗領域と
も表記する）を含む結晶性酸化物半導体層を有するトランジスタである。よって、トラン
ジスタ４０１０及びトランジスタ４０１１は、オン特性（例えば、オン電流及び電界効果
移動度）が高く、高速動作、高速応答が可能である。また、微細化も達成できる。
【０１５３】
よって、図６及び図７で示す本実施の形態の半導体装置として高性能及び高信頼性の半導
体装置を提供することができる。
【０１５４】
画素部４００２に設けられたトランジスタ４０１０は表示素子と電気的に接続し、表示パ
ネルを構成する。表示素子は表示を行うことができれば特に限定されず、様々な表示素子
を用いることができる。
【０１５５】
図７（Ａ）に表示素子として液晶素子を用いた液晶表示装置の例を示す。図７（Ａ）にお
いて、液晶素子４０１３は、第１の電極層４０３０、第２の電極層４０３１、及び液晶層
４００８を含む。なお、液晶層４００８を挟持するように配向膜として機能する絶縁層４
０３２及び絶縁層４０３３が設けられている。第２の電極層４０３１は第２の基板４００
６側に設けられ、第１の電極層４０３０と第２の電極層４０３１とは液晶層４００８を介
して積層する構成となっている。
【０１５６】
また４０３５は絶縁層を選択的にエッチングすることで得られる柱状のスペーサであり、
液晶層４００８の膜厚（セルギャップ）を制御するために設けられている。なお球状のス
ペーサを用いていてもよい。
【０１５７】
表示素子として、液晶素子を用いる場合、サーモトロピック液晶、強誘電性液晶、反強誘
電性液晶等を用いることができる。これらの液晶は低分子化合物でも高分子でもよい。こ
れらの液晶材料（液晶組成物）は、条件により、コレステリック相、スメクチック相、キ
ュービック相、カイラルネマチック相、等方相等を示す。
【０１５８】
また、液晶層４００８に、配向膜を用いないブルー相を発現する液晶組成物を用いてもよ
い。ブルー相は液晶相の一つであり、コレステリック液晶を昇温していくと、コレステリ
ック相から等方相へ転移する直前に発現する相である。ブルー相は、液晶及びカイラル剤
を混合させた液晶組成物を用いて発現させることができる。また、ブルー相が発現する温
度範囲を広げるために、ブルー相を発現する液晶組成物に重合性モノマー及び重合開始剤
などを添加し、高分子安定化させる処理を行って液晶層を形成することもできる。ブルー
相を発現する液晶組成物は、応答速度が短く、光学的等方性であるため配向処理が不要で
あり、視野角依存性が小さい。また配向膜を設けなくてもよいのでラビング処理も不要と
なるため、ラビング処理によって引き起こされる静電破壊を防止することができ、作製工
程中の液晶表示装置の不良や破損を軽減することができる。よって液晶表示装置の生産性
を向上させることが可能となる。
【０１５９】
また、液晶材料の固有抵抗は、１×１０９Ω・ｃｍ以上であり、好ましくは１×１０１１
Ω・ｃｍ以上であり、さらに好ましくは１×１０１２Ω・ｃｍ以上である。なお、本明細
書における固有抵抗の値は、２０℃で測定した値とする。
【０１６０】
液晶表示装置に設けられる保持容量の大きさは、画素部に配置されるトランジスタのリー
ク電流等を考慮して、所定の期間の間電荷を保持できるように設定される。保持容量の大
きさは、トランジスタのオフ電流等を考慮して設定すればよい。本明細書に開示する結晶
性酸化物半導体層を有するトランジスタを用いることにより、各画素における液晶容量に
対して１／３以下、好ましくは１／５以下の容量の大きさを有する保持容量を設ければ充
分である。
【０１６１】
本明細書に開示する結晶性酸化物半導体層を用いたトランジスタは、オフ状態における電
流値（オフ電流値）を低くすることができる。よって、画像信号等の電気信号の保持時間
を長くすることができ、書き込み間隔も長く設定できる。よって、リフレッシュ動作の頻
度を少なくすることができるため、消費電力を抑制する効果を奏する。
【０１６２】
また、本明細書に開示する結晶性酸化物半導体層を用いたトランジスタは、高い電界効果
移動度が得られるため、高速駆動が可能である。例えば、このようなトランジスタを液晶
表示装置に用いることで、画素部のスイッチングトランジスタと、駆動回路部に使用する
ドライバートランジスタを同一基板上に形成することができる。また、画素部においても
、このようなトランジスタを用いることで、高画質な画像を提供することができる。よっ
て、半導体装置として高信頼化も達成できる。
【０１６３】
液晶表示装置には、ＴＮ（Ｔｗｉｓｔｅｄ  Ｎｅｍａｔｉｃ）モード、ＩＰＳ（Ｉｎ−Ｐ
ｌａｎｅ−Ｓｗｉｔｃｈｉｎｇ）モード、ＦＦＳ（Ｆｒｉｎｇｅ  Ｆｉｅｌｄ  Ｓｗｉｔ
ｃｈｉｎｇ）モード、ＡＳＭ（Ａｘｉａｌｌｙ  Ｓｙｍｍｅｔｒｉｃ  ａｌｉｇｎｅｄ  
Ｍｉｃｒｏ−ｃｅｌｌ）モード、ＯＣＢ（Ｏｐｔｉｃａｌ  Ｃｏｍｐｅｎｓａｔｅｄ  Ｂ
ｉｒｅｆｒｉｎｇｅｎｃｅ）モード、ＦＬＣ（Ｆｅｒｒｏｅｌｅｃｔｒｉｃ  Ｌｉｑｕｉ
ｄ  Ｃｒｙｓｔａｌ）モード、ＡＦＬＣ（ＡｎｔｉＦｅｒｒｏｅｌｅｃｔｒｉｃ  Ｌｉｑ
ｕｉｄ  Ｃｒｙｓｔａｌ）モードなどを用いることができる。
【０１６４】
また、ノーマリーブラック型の液晶表示装置、例えば垂直配向（ＶＡ）モードを採用した
透過型の液晶表示装置としてもよい。垂直配向モードとしては、いくつか挙げられるが、
例えば、ＭＶＡ（Ｍｕｌｔｉ−Ｄｏｍａｉｎ  Ｖｅｒｔｉｃａｌ  Ａｌｉｇｎｍｅｎｔ）
モード、ＰＶＡ（Ｐａｔｔｅｒｎｅｄ  Ｖｅｒｔｉｃａｌ  Ａｌｉｇｎｍｅｎｔ）モード
、ＡＳＶ（Ａｄｖａｎｃｅｄ  Ｓｕｐｅｒ  Ｖｉｅｗ）モードなどを用いることができる
。また、ＶＡ型の液晶表示装置にも適用することができる。ＶＡ型の液晶表示装置とは、
液晶表示パネルの液晶分子の配列を制御する方式の一種である。ＶＡ型の液晶表示装置は
、電圧が印加されていないときにパネル面に対して液晶分子が垂直方向を向く方式である
。また、画素（ピクセル）をいくつかの領域（サブピクセル）に分け、それぞれ別の方向
に分子を倒すよう工夫されているマルチドメイン化あるいはマルチドメイン設計といわれ
る方法を用いることができる。
【０１６５】
また、表示装置において、ブラックマトリクス（遮光層）、偏光部材、位相差部材、反射
防止部材などの光学部材（光学基板）などは適宜設ける。例えば、偏光基板及び位相差基
板による円偏光を用いてもよい。また、光源としてバックライト、サイドライトなどを用
いてもよい。
【０１６６】
また、画素部における表示方式は、プログレッシブ方式やインターレース方式等を用いる
ことができる。また、カラー表示する際に画素で制御する色要素としては、ＲＧＢ（Ｒは
赤、Ｇは緑、Ｂは青を表す）の三色に限定されない。例えば、ＲＧＢＷ（Ｗは白を表す）
、又はＲＧＢに、イエロー、シアン、マゼンタ等を一色以上追加したものがある。なお、
色要素のドット毎にその表示領域の大きさが異なっていてもよい。ただし、開示する発明
はカラー表示の表示装置に限定されるものではなく、モノクロ表示の表示装置に適用する
こともできる。
【０１６７】
また、表示装置に含まれる表示素子として、エレクトロルミネッセンスを利用する発光素
子を適用することができる。エレクトロルミネッセンスを利用する発光素子は、発光材料
が有機化合物であるか、無機化合物であるかによって区別され、一般的に、前者は有機Ｅ
Ｌ素子、後者は無機ＥＬ素子と呼ばれている。
【０１６８】
有機ＥＬ素子は、発光素子に電圧を印加することにより、一対の電極から電子および正孔
がそれぞれ発光性の有機化合物を含む層に注入され、電流が流れる。そして、それらキャ
リア（電子および正孔）が再結合することにより、発光性の有機化合物が励起状態を形成
し、その励起状態が基底状態に戻る際に発光する。このようなメカニズムから、このよう
な発光素子は、電流励起型の発光素子と呼ばれる。
【０１６９】
無機ＥＬ素子は、その素子構成により、分散型無機ＥＬ素子と薄膜型無機ＥＬ素子とに分
類される。分散型無機ＥＬ素子は、発光材料の粒子をバインダ中に分散させた発光層を有
するものであり、発光メカニズムはドナー準位とアクセプター準位を利用するドナー−ア
クセプター再結合型発光である。薄膜型無機ＥＬ素子は、発光層を誘電体層で挟み込み、
さらにそれを電極で挟んだ構造であり、発光メカニズムは金属イオンの内殻電子遷移を利
用する局在型発光である。なお、ここでは、発光素子として有機ＥＬ素子を用いて説明す
る。
【０１７０】
発光素子は発光を取り出すために少なくとも一対の電極の一方が透光性であればよい。そ
して、基板上にトランジスタ及び発光素子を形成し、基板とは逆側の面から発光を取り出
す上面射出や、基板側の面から発光を取り出す下面射出や、基板側及び基板とは反対側の
面から発光を取り出す両面射出構造の発光素子があり、どの射出構造の発光素子も適用す
ることができる。
【０１７１】
図７（Ｂ）に表示素子として発光素子を用いた発光装置の例を示す。発光素子４５１３は
、画素部４００２に設けられたトランジスタ４０１０と電気的に接続している。なお図７
（Ｂ）に示した発光素子４５１３の構成は、第１の電極層４０３０、電界発光層４５１１
、第２の電極層４０３１の積層構造であるが、示した構成に限定されない。発光素子４５
１３から取り出す光の方向などに合わせて、発光素子４５１３の構成は適宜変えることが
できる。
【０１７２】
隔壁４５１０は、有機絶縁材料、又は無機絶縁材料を用いて形成する。特に感光性の樹脂
材料を用い、第１の電極層４０３０上に開口部を形成し、その開口部の側壁が連続した曲
率を持って形成される傾斜面となるように形成することが好ましい。
【０１７３】
電界発光層４５１１は、単数の層で構成されていても、複数の層が積層されるように構成
されていてもどちらでもよい。
【０１７４】
発光素子４５１３に酸素、水素、水分、二酸化炭素等が侵入しないように、第２の電極層
４０３１及び隔壁４５１０上に保護膜を形成してもよい。保護膜としては、窒化シリコン
膜、窒化酸化シリコン膜、ＤＬＣ膜等を形成することができる。また、第１の基板４００
１、第２の基板４００６、及びシール材４００５によって封止された空間には充填材４５
１４が設けられ密封されている。このように外気に曝されないように気密性が高く、脱ガ
スの少ない保護フィルム（貼り合わせフィルム、紫外線硬化樹脂フィルム等）やカバー材
でパッケージング（封入）することが好ましい。
【０１７５】
充填材４５１４としては窒素やアルゴンなどの不活性な気体の他に、紫外線硬化樹脂また
は熱硬化樹脂を用いることができ、ＰＶＣ（ポリビニルクロライド）、アクリル樹脂、ポ
リイミド、エポキシ樹脂、シリコーン樹脂、ＰＶＢ（ポリビニルブチラル）またはＥＶＡ
（エチレンビニルアセテート共重合体）を用いることができる。
【０１７６】
また、必要であれば、発光素子の射出面に偏光板、又は円偏光板（楕円偏光板を含む）、
位相差板（λ／４板、λ／２板）、カラーフィルタなどの光学フィルムを適宜設けてもよ
い。また、偏光板又は円偏光板に反射防止膜を設けてもよい。例えば、表面の凹凸により
反射光を拡散し、映り込みを低減できるアンチグレア処理を施すことができる。
【０１７７】
また、表示装置として、電子インクを駆動させる電子ペーパーを提供することも可能であ
る。電子ペーパーは、電気泳動表示装置（電気泳動ディスプレイ）とも呼ばれており、紙
と同じ読みやすさ、他の表示装置に比べ低消費電力、薄くて軽い形状とすることが可能と
いう利点を有している。
【０１７８】
電気泳動表示装置は、様々な形態が考えられ得るが、プラスの電荷を有する第１の粒子と
、マイナスの電荷を有する第２の粒子とを含むマイクロカプセルが溶媒に複数分散された
ものであり、マイクロカプセルに電界を印加することによって、マイクロカプセル中の粒
子を互いに反対方向に移動させて一方側に集合した粒子の色のみを表示するものである。
なお、第１の粒子または第２の粒子は染料を含み、電界がない場合において移動しないも
のである。また、第１の粒子の色と第２の粒子の色は異なるもの（無色を含む）とする。
【０１７９】
上記マイクロカプセルを溶媒中に分散させたものが電子インクと呼ばれるものである。カ
ラーフィルタや色素を有する粒子を用いることによってカラー表示も可能である。
【０１８０】
また、電子ペーパーとして、ツイストボール表示方式を用いる表示装置も適用することが
できる。ツイストボール表示方式とは、白と黒に塗り分けられた球形粒子を表示素子に用
いる電極層である第１の電極層及び第２の電極層の間に配置し、第１の電極層及び第２の
電極層に電位差を生じさせての球形粒子の向きを制御することにより、表示を行う方法で
ある。
【０１８１】
なお、図６及び図７において、第１の基板４００１、第２の基板４００６としては、ガラ
ス基板の他、可撓性を有する基板も用いることができ、例えば透光性を有するプラスチッ
ク基板などを用いることができる。プラスチックとしては、ＦＲＰ（Ｆｉｂｅｒｇｌａｓ
ｓ−Ｒｅｉｎｆｏｒｃｅｄ  Ｐｌａｓｔｉｃｓ）板、ＰＶＦ（ポリビニルフルオライド）
フィルム、ポリエステルフィルムまたはアクリル樹脂フィルムを用いることができる。ま
た、透光性が必要でなければ、アルミニウムやステンレスなどの金属基板（金属フィルム
）を用いてもよい。例えば、アルミニウムホイルをＰＶＦフィルムやポリエステルフィル
ムで挟んだ構造のシートを用いることもできる。
【０１８２】
本実施の形態では、絶縁層４０２０として酸化アルミニウム膜を用いる。
【０１８３】
結晶性酸化物半導体層上に絶縁層４０２０として設けられた酸化アルミニウム膜は、水素
、水分などの不純物、及び酸素の両方に対して膜を透過させない遮断効果（ブロック効果
）が高い。
【０１８４】
従って、酸化アルミニウム膜は、作製工程中及び作製後において、変動要因となる水素、
水分などの不純物の結晶性酸化物半導体層への混入、及び結晶性酸化物半導体層からの酸
素の放出を防止する保護膜として機能する。
【０１８５】
また、平坦化絶縁層として機能する絶縁層４０２１は、アクリル樹脂、ポリイミド、ベン
ゾシクロブテン系樹脂、ポリアミド、エポキシ等の、耐熱性を有する有機材料を用いるこ
とができる。また上記有機材料の他に、シロキサン系樹脂、ＰＳＧ（リンガラス）、ＢＰ
ＳＧ（リンボロンガラス）等の低誘電率材料（ｌｏｗ−ｋ材料）を用いることができる。
なお、これらの材料で形成される絶縁層を複数積層させることで、絶縁層４０２１を形成
してもよい。
【０１８６】
絶縁層４０２１の形成法は、特に限定されず、その材料に応じて、スパッタリング法、Ｓ
ＯＧ法、スピンコート、ディップ、スプレー塗布、液滴吐出法（インクジェット法等）、
スクリーン印刷、オフセット印刷、ドクターナイフ、ロールコーター、カーテンコーター
、ナイフコーター等を用いることができる。
【０１８７】
表示装置は光源又は表示素子からの光を透過させて表示を行う。よって光が透過する画素
部に設けられる基板、絶縁層、導電膜などの薄膜はすべて可視光の波長領域の光に対して
透光性とする。
【０１８８】
表示素子に電圧を印加する第１の電極層及び第２の電極層（画素電極層、共通電極層、対
向電極層などともいう）においては、取り出す光の方向、電極層が設けられる場所、及び
電極層のパターン構造によって透光性、反射性を選択すればよい。
【０１８９】
第１の電極層４０３０、第２の電極層４０３１は、酸化タングステンを含むインジウム酸
化物、酸化タングステンを含むインジウム亜鉛酸化物、酸化チタンを含むインジウム酸化
物、酸化チタンを含むインジウム錫酸化物、インジウム錫酸化物（ＩＴＯ）、インジウム
亜鉛酸化物、酸化ケイ素を添加したインジウム錫酸化物、グラフェンなどの透光性を有す
る導電性材料を用いることができる。
【０１９０】
また、第１の電極層４０３０、第２の電極層４０３１はタングステン（Ｗ）、モリブデン
（Ｍｏ）、ジルコニウム（Ｚｒ）、ハフニウム（Ｈｆ）、バナジウム（Ｖ）、ニオブ（Ｎ
ｂ）、タンタル（Ｔａ）、クロム（Ｃｒ）、コバルト（Ｃｏ）、ニッケル（Ｎｉ）、チタ
ン（Ｔｉ）、白金（Ｐｔ）、アルミニウム（Ａｌ）、銅（Ｃｕ）、銀（Ａｇ）等の金属、
又はその合金、若しくはその金属窒化物から一つ、又は複数種を用いて形成することがで
きる。
【０１９１】
また、第１の電極層４０３０、第２の電極層４０３１として、導電性高分子（導電性ポリ
マーともいう）を含む導電性組成物を用いて形成することができる。導電性高分子として
は、いわゆるπ電子共役系導電性高分子が用いることができる。例えば、ポリアニリンま
たはその誘導体、ポリピロールまたはその誘導体、ポリチオフェンまたはその誘導体、若
しくはアニリン、ピロールおよびチオフェンの２種以上からなる共重合体若しくはその誘
導体などがあげられる。
【０１９２】
また、駆動回路保護用の保護回路を設けてもよい。保護回路は、非線形素子を用いて構成
することが好ましい。
【０１９３】
以上のように実施の形態１または２で一例を示したトランジスタを適用することで、様々
な機能を有する半導体装置を提供することができる。
【０１９４】
（実施の形態４）
実施の形態１または２で一例を示したトランジスタを用いて、対象物の情報を読み取るイ
メージセンサ機能を有する半導体装置を作製することができる。
【０１９５】
図８（Ａ）に、イメージセンサ機能を有する半導体装置の一例を示す。図８（Ａ）はフォ
トセンサの等価回路であり、図８（Ｂ）はフォトセンサの一部を示す断面図である。
【０１９６】
フォトダイオード６０２は、一方の電極がフォトダイオードリセット信号線６５８に、他
方の電極がトランジスタ６４０のゲートに電気的に接続されている。トランジスタ６４０
は、ソース又はドレインの一方がフォトセンサ基準信号線６７２に、ソース又はドレイン
の他方がトランジスタ６５６のソース又はドレインの一方に電気的に接続されている。ト
ランジスタ６５６は、ゲートがゲート信号線６５９に、ソース又はドレインの他方がフォ
トセンサ出力信号線６７１に電気的に接続されている。
【０１９７】
なお、本明細書における回路図において、結晶性酸化物半導体層を用いるトランジスタと
明確に判明できるように、結晶性酸化物半導体層を用いるトランジスタの記号には「ＯＳ
」と記載している。図８（Ａ）において、トランジスタ６４０、トランジスタ６５６は実
施の形態１または２で一例を示したトランジスタが適用でき、結晶性酸化物半導体層を用
いるトランジスタである。本実施の形態では、実施の形態２で示したトランジスタ５２０
と同様な構造を有するトランジスタを適用する例を示す。
【０１９８】
図８（Ｂ）は、フォトセンサにおけるフォトダイオード６０２及びトランジスタ６４０に
示す断面図であり、絶縁表面を有する基板６０１（ＴＦＴ基板）上に、センサとして機能
するフォトダイオード６０２及びトランジスタ６４０が設けられている。フォトダイオー
ド６０２、トランジスタ６４０の上には接着層６０８を用いて基板６１３が設けられてい
る。
【０１９９】
トランジスタ６４０上には絶縁層６３１、絶縁層６３２、層間絶縁膜６３３、層間絶縁膜
６３４が設けられている。フォトダイオード６０２は、層間絶縁膜６３３上に設けられ、
層間絶縁膜６３３上に形成した電極層６４１と、層間絶縁膜６３４上に設けられた電極層
６４２との間に、層間絶縁膜６３３側から順に第１半導体膜６０６ａ、第２半導体膜６０
６ｂ、及び第３半導体膜６０６ｃを積層した構造を有している。
【０２００】
電極層６４１は、層間絶縁膜６３４に形成された導電層６４３と電気的に接続し、電極層
６４２は電極層６４１を介して導電層６４５と電気的に接続している。導電層６４５は、
トランジスタ６４０のゲート電極と電気的に接続しており、フォトダイオード６０２はト
ランジスタ６４０と電気的に接続している。
【０２０１】
ここでは、第１半導体膜６０６ａとしてｐ型の導電型を有する半導体膜と、第２半導体膜
６０６ｂとして高抵抗な半導体膜（ｉ型半導体膜）、第３半導体膜６０６ｃとしてｎ型の
導電型を有する半導体膜を積層するｐｉｎ型のフォトダイオードを例示している。
【０２０２】
第１半導体膜６０６ａはｐ型半導体膜であり、ｐ型を付与する不純物元素を含むアモルフ
ァスシリコン膜により形成することができる。第１半導体膜６０６ａの形成には１３族の
不純物元素（例えばボロン（Ｂ））を含む半導体材料ガスを用いて、プラズマＣＶＤ法に
より形成する。半導体材料ガスとしてはシラン（ＳｉＨ４）を用いればよい。または、Ｓ
ｉ２Ｈ６、ＳｉＨ２Ｃｌ２、ＳｉＨＣｌ３、ＳｉＣｌ４、ＳｉＦ４等を用いてもよい。ま
た、不純物元素を含まないアモルファスシリコン膜を形成した後に、拡散法やイオン注入
法を用いて該アモルファスシリコン膜に不純物元素を導入してもよい。イオン注入法等に
より不純物元素を導入した後に加熱等を行うことで、不純物元素を拡散させるとよい。こ
の場合にアモルファスシリコン膜を形成する方法としては、ＬＰＣＶＤ法、気相成長法、
又はスパッタリング法等を用いればよい。第１半導体膜６０６ａの膜厚は１０ｎｍ以上５
０ｎｍ以下となるよう形成することが好ましい。
【０２０３】
第２半導体膜６０６ｂは、ｉ型半導体膜（真性半導体膜）であり、アモルファスシリコン
膜により形成する。第２半導体膜６０６ｂの形成には、半導体材料ガスを用いて、アモル
ファスシリコン膜をプラズマＣＶＤ法により形成する。半導体材料ガスとしては、シラン
（ＳｉＨ４）を用いればよい。または、Ｓｉ２Ｈ６、ＳｉＨ２Ｃｌ２、ＳｉＨＣｌ３、Ｓ
ｉＣｌ４、ＳｉＦ４等を用いてもよい。第２半導体膜６０６ｂの形成は、ＬＰＣＶＤ法、
気相成長法、スパッタリング法等により行ってもよい。第２半導体膜６０６ｂの膜厚は２
００ｎｍ以上１０００ｎｍ以下となるように形成することが好ましい。
【０２０４】
第３半導体膜６０６ｃは、ｎ型半導体膜であり、ｎ型を付与する不純物元素を含むアモル
ファスシリコン膜により形成する。第３半導体膜６０６ｃの形成には、１５族の不純物元
素（例えばリン（Ｐ））を含む半導体材料ガスを用いて、プラズマＣＶＤ法により形成す
る。半導体材料ガスとしてはシラン（ＳｉＨ４）を用いればよい。または、Ｓｉ２Ｈ６、
ＳｉＨ２Ｃｌ２、ＳｉＨＣｌ３、ＳｉＣｌ４、ＳｉＦ４等を用いてもよい。また、不純物
元素を含まないアモルファスシリコン膜を形成した後に、拡散法やイオン注入法を用いて
該アモルファスシリコン膜に不純物元素を導入してもよい。イオン注入法等により不純物
元素を導入した後に加熱等を行うことで、不純物元素を拡散させるとよい。この場合にア
モルファスシリコン膜を形成する方法としては、ＬＰＣＶＤ法、気相成長法、又はスパッ
タリング法等を用いればよい。第３半導体膜６０６ｃの膜厚は２０ｎｍ以上２００ｎｍ以
下となるよう形成することが好ましい。
【０２０５】
また、第１半導体膜６０６ａ、第２半導体膜６０６ｂ、及び第３半導体膜６０６ｃは、ア
モルファス半導体ではなく、多結晶半導体を用いて形成してもよいし、微結晶（セミアモ
ルファス（Ｓｅｍｉ  Ａｍｏｒｐｈｏｕｓ  Ｓｅｍｉｃｏｎｄｕｃｔｏｒ：ＳＡＳ））半
導体を用いて形成してもよい。
【０２０６】
微結晶半導体は、ギブスの自由エネルギーを考慮すれば非晶質と単結晶の中間的な準安定
状態に属するものである。すなわち、熱力学的に安定な第３の状態を有する半導体であっ
て、短距離秩序を持ち格子歪みを有する。柱状または針状結晶が基板表面に対して法線方
向に成長している。微結晶半導体の代表例である微結晶シリコンは、そのラマンスペクト
ルが単結晶シリコンを示す５２０ｃｍ−１よりも低波数側に、シフトしている。即ち、単
結晶シリコンを示す５２０ｃｍ−１とアモルファスシリコンを示す４８０ｃｍ−１の間に
微結晶シリコンのラマンスペクトルのピークがある。また、未結合手（ダングリングボン
ド）を終端するため水素またはハロゲンを少なくとも１原子％またはそれ以上含ませてい
る。さらに、ヘリウム、アルゴン、クリプトン、ネオンなどの希ガス元素を含ませて格子
歪みをさらに助長させることで、安定性が増し良好な微結晶半導体膜が得られる。
【０２０７】
この微結晶半導体膜は、周波数が数十ＭＨｚ〜数百ＭＨｚの高周波プラズマＣＶＤ法、ま
たは周波数が１ＧＨｚ以上のマイクロ波プラズマＣＶＤ装置により形成することができる
。代表的には、ＳｉＨ４、Ｓｉ２Ｈ６、ＳｉＨ２Ｃｌ２、ＳｉＨＣｌ３、ＳｉＣｌ４、Ｓ
ｉＦ４などの珪素を含む化合物を水素で希釈して形成することができる。また、水素に加
え、ヘリウム、アルゴン、クリプトン、ネオンから選ばれた一種または複数種の希ガス元
素で水素化珪素を希釈して微結晶半導体膜を形成することができる。これらのときの珪素
を含む化合物（例えば水素化珪素）に対して水素の流量比を５倍以上２００倍以下、好ま
しくは５０倍以上１５０倍以下、更に好ましくは１００倍とする。さらには、シリコンを
含む気体中に、ＣＨ４、Ｃ２Ｈ６等の炭化水素気体、ＧｅＨ４、ＧｅＦ４等のゲルマニウ
ム化気体、Ｆ２等を混入させてもよい。
【０２０８】
また、光電効果で発生した正孔の移動度は電子の移動度に比べて小さいため、ｐｉｎ型の
フォトダイオードはｐ型の半導体膜側を受光面とする方がよい特性を示す。ここでは、ｐ
ｉｎ型のフォトダイオードが形成されている基板６０１の面からフォトダイオード６０２
が受ける光を電気信号に変換する例を示す。また、受光面とした半導体膜側とは逆の導電
型を有する半導体膜側からの光は外乱光となるため、電極層は遮光性を有する導電膜を用
いるとよい。また、ｎ型の半導体膜側を受光面として用いることもできる。
【０２０９】
絶縁層６３２、層間絶縁膜６３３、層間絶縁膜６３４としては、絶縁性材料を用いて、そ
の材料に応じて、スパッタリング法、プラズマＣＶＤ法、ＳＯＧ法、スピンコート、ディ
ップ、スプレー塗布、液滴吐出法（インクジェット法等）、印刷法（スクリーン印刷、オ
フセット印刷等）、ドクターナイフ、ロールコーター、カーテンコーター、ナイフコータ
ー等を用いて形成することができる。
【０２１０】
本実施の形態では、絶縁層６３１として酸化アルミニウム膜を用いる。絶縁層６３１はス
パッタリング法やプラズマＣＶＤ法によって形成することができる。
【０２１１】
結晶性酸化物半導体層上に絶縁層６３１として設けられた酸化アルミニウム膜は、水素、
水分などの不純物、及び酸素の両方に対して膜を透過させない遮断効果（ブロック効果）
が高い。
【０２１２】
従って、酸化アルミニウム膜は、作製工程中及び作製後において、変動要因となる水素、
水分などの不純物の結晶性酸化物半導体層への混入、及び酸化物半導体を構成する主成分
材料である酸素の結晶性酸化物半導体層からの放出を防止する保護膜として機能する。
【０２１３】
絶縁層６３２としては、無機絶縁材料としては、酸化シリコン層、酸化窒化シリコン層、
酸化アルミニウム層、又は酸化窒化アルミニウム層などの酸化物絶縁層、窒化シリコン層
、窒化酸化シリコン層、窒化アルミニウム層、又は窒化酸化アルミニウム層などの窒化物
絶縁層の単層、又は積層を用いることができる。
【０２１４】
層間絶縁膜６３３、６３４としては、表面凹凸を低減するため平坦化絶縁層として機能す
る絶縁層が好ましい。層間絶縁膜６３３、６３４としては、例えばポリイミド、アクリル
樹脂、ベンゾシクロブテン樹脂、ポリアミド、エポキシ樹脂等の、耐熱性を有する有機絶
縁材料を用いることができる。また上記有機絶縁材料の他に、シロキサン系樹脂、ＰＳＧ
（リンガラス）、ＢＰＳＧ（リンボロンガラス）等の低誘電率材料（ｌｏｗ−ｋ材料）の
単層、又は積層を用いることができる。
【０２１５】
フォトダイオード６０２に入射する光を検出することによって、被検出物の情報を読み取
ることができる。なお、被検出物の情報を読み取る際にバックライトなどの光源を用いる
ことができる。
【０２１６】
実施の形態１または２で一例を示したトランジスタのように、チャネル長方向にチャネル
形成領域を挟んで低抵抗領域を含む結晶性酸化物半導体層を有するトランジスタは、オン
特性（例えば、オン電流及び電界効果移動度）が高く、高速動作、高速応答が可能である
。また、微細化も達成できる。よって、該トランジスタを用いることで高性能及び高信頼
性の半導体装置を提供することができる。
【０２１７】
本実施の形態は、他の実施の形態に記載した構成と適宜組み合わせて実施することが可能
である。
【０２１８】
（実施の形態５）
実施の形態１または２で一例を示したトランジスタは、複数のトランジスタを積層する集
積回路を有する半導体装置に好適に用いることができる。本実施の形態では、半導体装置
の一例として、記憶媒体（メモリ素子）の例を示す。
【０２１９】
実施の形態では、単結晶半導体基板に作製された第１のトランジスタであるトランジスタ
１４０と絶縁層を介してトランジスタ１４０の上方に半導体膜を用いて作製された第２の
トランジスタであるトランジスタ１６２を含む半導体装置を作製する。実施の形態１また
は２で一例を示したトランジスタは、トランジスタ１６２に好適に用いることができる。
本実施の形態では、トランジスタ１６２として実施の形態２で示したトランジスタ５２０
と同様な構造を有するトランジスタを用いる例を示す。
【０２２０】
積層するトランジスタ１４０、トランジスタ１６２の半導体材料、及び構造は、同一でも
よいし異なっていてもよい。本実施の形態では、記憶媒体（メモリ素子）の回路に好適な
材料及び構造のトランジスタをそれぞれ用いる例である。
【０２２１】
図９は、半導体装置の構成の一例である。図９（Ａ）には、半導体装置の断面を、図９（
Ｂ）には、半導体装置の平面を、それぞれ示す。ここで、図９（Ａ）は、図９（Ｂ）のＣ
１−Ｃ２およびＤ１−Ｄ２における断面に相当する。また、図９（Ｃ）には、上記半導体
装置をメモリ素子として用いる場合の回路図の一例を示す。図９（Ａ）および図９（Ｂ）
に示される半導体装置は、下部に第１の半導体材料を用いたトランジスタ１４０を有し、
上部に第２の半導体材料を用いたトランジスタ１６２を有する。本実施の形態では、第１
の半導体材料を酸化物半導体以外の半導体材料とし、第２の半導体材料を酸化物半導体と
する。酸化物半導体以外の半導体材料としては、例えば、シリコン、ゲルマニウム、シリ
コンゲルマニウム、炭化シリコン、またはガリウムヒ素等を用いることができ、単結晶半
導体を用いるのが好ましい。他に、有機半導体材料などを用いてもよい。このような半導
体材料を用いたトランジスタは、高速動作が容易である。一方で、酸化物半導体を用いた
トランジスタは、その特性により長時間の電荷保持を可能とする。
【０２２２】
図９における半導体装置の作製方法を図９（Ａ）乃至（Ｃ）を用いて説明する。
【０２２３】
トランジスタ１４０は、半導体材料（例えば、シリコンなど）を含む基板１８５に設けら
れたチャネル形成領域１１６と、チャネル形成領域１１６を挟むように設けられた不純物
領域１２０と、不純物領域１２０に接する金属化合物領域１２４と、チャネル形成領域１
１６上に設けられたゲート絶縁層１０８と、ゲート絶縁層１０８上に設けられたゲート電
極１１０とを有する。
【０２２４】
半導体材料を含む基板１８５は、シリコンや炭化シリコンなどの単結晶半導体基板、多結
晶半導体基板、シリコンゲルマニウムなどの化合物半導体基板、ＳＯＩ基板などを適用す
ることができる。なお、一般に「ＳＯＩ基板」は、絶縁表面上にシリコン半導体膜が設け
られた構成の基板をいうが、本明細書等においては、絶縁表面上にシリコン以外の材料か
らなる半導体膜が設けられた構成の基板も含む。つまり、「ＳＯＩ基板」が有する半導体
膜は、シリコン半導体膜に限定されない。また、ＳＯＩ基板には、ガラス基板などの絶縁
基板上に絶縁層を介して半導体膜が設けられた構成のものが含まれるものとする。
【０２２５】
ＳＯＩ基板の作製方法としては、鏡面研磨ウェハーに酸素イオンを注入した後、高温加熱
することにより、表面から一定の深さに酸化層を形成させるとともに、表面層に生じた欠
陥を消滅させて作る方法、水素イオン照射により形成された微小ボイドの熱処理による成
長を利用して半導体基板を劈開する方法や、絶縁表面上に結晶成長により単結晶半導体膜
を形成する方法等を用いることができる。
【０２２６】
例えば、単結晶半導体基板の一つの面からイオンを添加して、単結晶半導体基板の一つの
面から一定の深さに脆弱化層を形成し、単結晶半導体基板の一つの面上、又は素子基板上
のどちらか一方に絶縁層を形成する。単結晶半導体基板と素子基板を、絶縁層を挟んで重
ね合わせた状態で、脆弱化層に亀裂を生じさせ、単結晶半導体基板を脆弱化層で分離する
熱処理を行い、単結晶半導体基板より半導体膜として単結晶半導体膜を素子基板上に形成
する。上記方法を用いて作製されたＳＯＩ基板も好適に用いることができる。
【０２２７】
基板１８５上にはトランジスタ１４０を囲むように素子分離絶縁層１０６が設けられてい
る。なお、高集積化を実現するためには、図９に示すようにトランジスタ１４０がサイド
ウォールとなる側壁絶縁層を有しない構成とすることが望ましい。一方で、トランジスタ
１４０の特性を重視する場合には、ゲート電極１１０の側面にサイドウォールとなる側壁
絶縁層を設け、不純物濃度が異なる領域を含む不純物領域１２０を設けてもよい。
【０２２８】
単結晶半導体基板を用いたトランジスタ１４０は、高速動作が可能である。このため、当
該トランジスタを読み出し用のトランジスタとして用いることで、情報の読み出しを高速
に行うことができる。トランジスタ１４０を覆うように絶縁層を２層形成する。トランジ
スタ１６２および容量素子１６４の形成前の処理として、該絶縁層２層にＣＭＰ処理を施
して、平坦化した絶縁層１２８、絶縁層１３０を形成し、同時にゲート電極１１０の上面
を露出させる。
【０２２９】
絶縁層１２８、絶縁層１３０は、代表的には酸化シリコン膜、酸化窒化シリコン膜、酸化
アルミニウム膜、酸化窒化アルミニウム膜、窒化シリコン膜、窒化アルミニウム膜、窒化
酸化シリコン膜、窒化酸化アルミニウム膜などの無機絶縁層を用いることができる。絶縁
層１２８、絶縁層１３０は、プラズマＣＶＤ法又はスパッタリング法等を用いて形成する
ことができる。
【０２３０】
また、ポリイミド、アクリル樹脂、ベンゾシクロブテン系樹脂、等の有機材料を用いるこ
とができる。また上記有機材料の他に、低誘電率材料（ｌｏｗ−ｋ材料）等を用いること
ができる。有機材料を用いる場合、スピンコート法、印刷法などの湿式法によって絶縁層
１２８、絶縁層１３０を形成してもよい。
【０２３１】
なお、絶縁層１３０において、半導体膜と接する膜は酸化シリコン膜を用いる。
【０２３２】
本実施の形態では、絶縁層１２８としてスパッタリング法により膜厚５０ｎｍの酸化窒化
シリコン膜を形成し、絶縁層１３０としてスパッタリング法により膜厚５５０ｎｍの酸化
シリコン膜を形成する。
【０２３３】
ＣＭＰ処理により十分に平坦化した絶縁層１３０上に半導体膜を形成する。本実施の形態
では、半導体膜としてＩｎ−Ｇａ−Ｚｎ系酸化物ターゲットを用いてスパッタリング法に
より結晶性酸化物半導体層を形成する。
【０２３４】
次に結晶性酸化物半導体層を選択的にエッチングして島状の結晶性酸化物半導体層１４４
を形成する。結晶性酸化物半導体層１４４上にソース電極またはドレイン電極１４２ａ、
ソース電極またはドレイン電極１４２ｂを形成する。
【０２３５】
結晶性酸化物半導体層１４４上にゲート絶縁層１４６、ゲート電極１４８を形成する。ゲ
ート電極１４８は、導電層を形成した後に、当該導電層を選択的にエッチングすることに
よって形成することができる。ゲート絶縁層１４６はゲート電極１４８をマスクとして絶
縁層をエッチングして形成する。
【０２３６】
ゲート絶縁層１４６として、プラズマＣＶＤ法又はスパッタリング法等を用いて、酸化シ
リコン膜、窒化シリコン膜、酸化窒化シリコン膜、窒化酸化シリコン膜、酸化アルミニウ
ム膜、窒化アルミニウム膜、酸化窒化アルミニウム膜、窒化酸化アルミニウム膜、酸化ハ
フニウム膜、又は酸化ガリウム膜を形成することができる。
【０２３７】
ゲート電極１１０、ソース電極またはドレイン電極１４２ａ、ソース電極またはドレイン
電極１４２ｂに用いることのできる導電層は、スパッタリング法をはじめとするＰＶＤ法
や、プラズマＣＶＤ法などのＣＶＤ法を用いて形成することができる。また、導電層の材
料としては、Ａｌ、Ｃｒ、Ｃｕ、Ｔａ、Ｔｉ、Ｍｏ、Ｗから選ばれた元素や、上述した元
素を成分とする合金等を用いることができる。Ｍｎ、Ｍｇ、Ｚｒ、Ｂｅ、Ｎｄ、Ｓｃのい
ずれか、またはこれらを複数組み合わせた材料を用いてもよい。
【０２３８】
導電層は、単層構造であってもよいし、２層以上の積層構造としてもよい。例えば、チタ
ン膜や窒化チタン膜の単層構造、シリコンを含むアルミニウム膜の単層構造、アルミニウ
ム膜上にチタン膜が積層された２層構造、窒化チタン膜上にチタン膜が積層された２層構
造、チタン膜とアルミニウム膜とチタン膜とが積層された３層構造などが挙げられる。な
お、導電層を、チタン膜や窒化チタン膜の単層構造とする場合には、テーパー形状を有す
るソース電極またはドレイン電極１４２ａ、およびソース電極またはドレイン電極１４２
ｂへの加工が容易であるというメリットがある。
【０２３９】
ゲート電極１４８を形成後、ゲート電極１４８をマスクとしてゲート絶縁層をエッチング
し、該エッチング処理によって露出した結晶性酸化物半導体層１４４へ窒化プラズマ処理
を行う。これによって、チャネル形成領域を挟んで、窒素を含む結晶性の低抵抗領域を含
む結晶性酸化物半導体層１４４を有するトランジスタ１６２を作製することができる。
【０２４０】
チャネル長方向にチャネル形成領域を挟んで低抵抗領域を含む結晶性酸化物半導体層１４
４を有することにより、該トランジスタ１６２はオン特性（例えば、オン電流及び電界効
果移動度）が高く、高速動作、高速応答が可能となる。
【０２４１】
低抵抗領域はソース領域、又はドレイン領域として機能させることができる。低抵抗領域
を設けることによって、低抵抗領域の間に形成されるチャネル形成領域に加わる電界を緩
和させることができる。また、低抵抗領域において結晶性酸化物半導体層１４４とソース
電極またはドレイン電極１４２ａ、およびソース電極またはドレイン電極１４２ｂとを電
気的に接続させることによって、結晶性酸化物半導体層１４４とソース電極またはドレイ
ン電極１４２ａ、およびソース電極またはドレイン電極１４２ｂとの接触抵抗を低減する
ことができる。
【０２４２】
結晶性酸化物半導体層１４４上には、絶縁層１５０が設けられる。絶縁層１５０は積層構
造としてもよい。絶縁層１５０としては、プラズマＣＶＤ法又はスパッタリング法等を用
いて、酸化シリコン膜、窒化シリコン膜、酸化窒化シリコン膜、窒化酸化シリコン膜、窒
化アルミニウム膜、酸化アルミニウム膜、酸化窒化アルミニウム膜、窒化酸化アルミニウ
ム膜、酸化ハフニウム膜、又は酸化ガリウム膜を用いることができる。
【０２４３】
本実施の形態では、絶縁層１５０として酸化アルミニウム膜を用いるものとする。酸化ア
ルミニウム膜は、水素、水分などの不純物、及び酸素の両方に対して膜を通過させない遮
断効果（ブロック効果）が高い。従って、酸化アルミニウム膜は、作製工程中及び作製後
において、変動要因となる水素、水分などの不純物の結晶性酸化物半導体層１４４への混
入、及び酸化物半導体を構成する主成分材料である酸素の結晶性酸化物半導体層１４４か
らの放出を防止する保護膜として機能する。
【０２４４】
絶縁層１５０上において、ソース電極またはドレイン電極１４２ａと重畳する領域に電極
層１５３を形成する。
【０２４５】
次にトランジスタ１６２、及び絶縁層１５０上に、絶縁層１５２を形成する。絶縁層１５
２は、スパッタリング法やＣＶＤ法などを用いて形成することができる。また、酸化シリ
コン、酸化窒化シリコン、窒化シリコン、酸化ハフニウム、酸化アルミニウム等の無機絶
縁材料を含む材料を用いて形成することができる。
【０２４６】
次に、ゲート絶縁層１４６、絶縁層１５０、及び絶縁層１５２に、ソース電極またはドレ
イン電極１４２ｂにまで達する開口を形成する。当該開口の形成は、マスクなどを用いた
選択的なエッチングにより行われる。
【０２４７】
その後、上記開口にソース電極またはドレイン電極１４２ｂに接する配線１５６を形成す
る。なお、図９にはソース電極またはドレイン電極１４２ｂと配線１５６との接続箇所は
図示していない。
【０２４８】
配線１５６は、スパッタリング法をはじめとするＰＶＤ法や、プラズマＣＶＤ法などのＣ
ＶＤ法を用いて導電層を形成した後、当該導電層をエッチング加工することによって形成
される。また、導電層の材料としては、Ａｌ、Ｃｒ、Ｃｕ、Ｔａ、Ｔｉ、Ｍｏ、Ｗから選
ばれた元素や、上述した元素を成分とする合金等を用いることができる。Ｍｎ、Ｍｇ、Ｚ
ｒ、Ｂｅ、Ｎｄ、Ｓｃのいずれか、またはこれらを複数組み合わせた材料を用いてもよい
。詳細は、ソース電極またはドレイン電極１４２ａなどと同様である。
【０２４９】
以上の工程でトランジスタ１６２及び容量素子１６４が完成する。トランジスタ１６２は
、高純度化し、酸素欠損を補填する酸素を過剰に含む結晶性酸化物半導体層１４４を有す
るトランジスタである。よって、トランジスタ１６２は、電気的特性変動が抑制されてお
り、電気的に安定である。容量素子１６４は、ソース電極またはドレイン電極１４２ａ、
結晶性酸化物半導体層１４４、ゲート絶縁層１４６、および電極層１５３、で構成される
。
【０２５０】
なお、図９（Ａ）の容量素子１６４では、結晶性酸化物半導体層１４４とゲート絶縁層１
４６を積層させることにより、ソース電極またはドレイン電極１４２ａと、電極層１５３
との間の絶縁性を十分に確保することができる。もちろん、十分な容量を確保するために
、結晶性酸化物半導体層１４４を有しない構成の容量素子１６４を採用してもよい。また
、絶縁層を有する構成の容量素子１６４を採用してもよい。さらに、容量が不要の場合は
、容量素子１６４を設けない構成とすることも可能である。
【０２５１】
図９（Ｃ）には、上記半導体装置をメモリ素子として用いる場合の回路図の一例を示す。
図９（Ｃ）において、トランジスタ１６２のソース電極またはドレイン電極の一方と、容
量素子１６４の電極の一方と、トランジスタ１４０のゲート電極と、は電気的に接続され
ている。また、第１の配線（１ｓｔ  Ｌｉｎｅ：ソース線とも呼ぶ）とトランジスタ１４
０のソース電極とは、電気的に接続され、第２の配線（２ｎｄ  Ｌｉｎｅ：ビット線とも
呼ぶ）とトランジスタ１４０のドレイン電極とは、電気的に接続されている。また、第３
の配線（３ｒｄ  Ｌｉｎｅ：第１の信号線とも呼ぶ）とトランジスタ１６２のソース電極
またはドレイン電極の他方とは、電気的に接続され、第４の配線（４ｔｈ  Ｌｉｎｅ：第
２の信号線とも呼ぶ）と、トランジスタ１６２のゲート電極とは、電気的に接続されてい
る。そして、第５の配線（５ｔｈ  Ｌｉｎｅ：ワード線とも呼ぶ）と、容量素子１６４の
電極の他方は電気的に接続されている。
【０２５２】
酸化物半導体を用いたトランジスタ１６２は、オフ電流が極めて小さいという特徴を有し
ているため、トランジスタ１６２をオフ状態とすることで、トランジスタ１６２のソース
電極またはドレイン電極の一方と、容量素子１６４の電極の一方と、トランジスタ１４０
のゲート電極とが電気的に接続されたノード（以下、ノードＦＧ）の電位を極めて長時間
にわたって保持することが可能である。そして、容量素子１６４を有することにより、ノ
ードＦＧに与えられた電荷の保持が容易になり、また、保持された情報の読み出しが容易
になる。
【０２５３】
半導体装置に情報を記憶させる場合（書き込み）は、まず、第４の配線の電位を、トラン
ジスタ１６２がオン状態となる電位にして、トランジスタ１６２をオン状態とする。これ
により、第３の配線の電位が、ノードＦＧに供給され、ノードＦＧに所定量の電荷が蓄積
される。ここでは、異なる二つの電位レベルを与える電荷（以下、ロー（Ｌｏｗ）レベル
電荷、ハイ（Ｈｉｇｈ）レベル電荷という）のいずれかが与えられるものとする。その後
、第４の配線の電位を、トランジスタ１６２がオフ状態となる電位にして、トランジスタ
１６２をオフ状態とすることにより、ノードＦＧが浮遊状態となるため、ノードＦＧには
所定の電荷が保持されたままの状態となる。以上のように、ノードＦＧに所定量の電荷を
蓄積及び保持させることで、メモリセルに情報を記憶させることができる。
【０２５４】
トランジスタ１６２のオフ電流は極めて小さいため、ノードＦＧに供給された電荷は長時
間にわたって保持される。したがって、リフレッシュ動作が不要となるか、または、リフ
レッシュ動作の頻度を極めて低くすることが可能となり、消費電力を十分に低減すること
ができる。また、電力の供給がない場合であっても、長期にわたって記憶内容を保持する
ことが可能である。
【０２５５】
記憶された情報を読み出す場合（読み出し）は、第１の配線に所定の電位（定電位）を与
えた状態で、第５の配線に適切な電位（読み出し電位）を与えると、ノードＦＧに保持さ
れた電荷量に応じて、トランジスタ１４０は異なる状態をとる。一般に、トランジスタ１
４０をｎチャネル型とすると、ノードＦＧにＨｉｇｈレベル電荷が保持されている場合の
トランジスタ１４０の見かけのしきい値Ｖｔｈ＿Ｈは、ノードＦＧにＬｏｗレベル電荷が
保持されている場合のトランジスタ１４０の見かけのしきい値Ｖｔｈ＿Ｌより低くなるた
めである。ここで、見かけのしきい値とは、トランジスタ１４０を「オン状態」とするた
めに必要な第５の配線の電位をいうものとする。したがって、第５の配線の電位をＶｔｈ
＿ＨとＶｔｈ＿Ｌの間の電位Ｖ０とすることにより、ノードＦＧに保持された電荷を判別
できる。例えば、書き込みにおいて、Ｈｉｇｈレベル電荷が与えられていた場合には、第
５の配線の電位がＶ０（＞Ｖｔｈ＿Ｈ）となれば、トランジスタ１４０は「オン状態」と
なる。Ｌｏｗレベル電荷が与えられていた場合には、第５の配線の電位がＶ０（＜Ｖｔｈ
＿Ｌ）となっても、トランジスタ１４０は「オフ状態」のままである。このため、第５の
配線の電位を制御して、トランジスタ１４０のオン状態またはオフ状態を読み出す（第２
の配線の電位を読み出す）ことで、記憶された情報を読み出すことができる。
【０２５６】
また、記憶させた情報を書き換える場合においては、上記の書き込みによって所定量の電
荷を保持したノードＦＧに、新たな電位を供給することで、ノードＦＧに新たな情報に係
る電荷を保持させる。具体的には、第４の配線の電位を、トランジスタ１６２がオン状態
となる電位にして、トランジスタ１６２をオン状態とする。これにより、第３の配線の電
位（新たな情報に係る電位）が、ノードＦＧに供給され、ノードＦＧに所定量の電荷が蓄
積される。その後、第４の配線の電位をトランジスタ１６２がオフ状態となる電位にして
、トランジスタ１６２をオフ状態とすることにより、ノードＦＧには、新たな情報に係る
電荷が保持された状態となる。すなわち、ノードＦＧに第１の書き込みによって所定量の
電荷が保持された状態で、第１の書き込みと同様の動作（第２の書き込み）を行うことで
、記憶させた情報を上書きすることが可能である。
【０２５７】
本実施の形態で示すトランジスタ１６２は、本明細書に開示する、高純度化され、酸素を
過剰に含む結晶性酸化物半導体層を用いることで、トランジスタ１６２のオフ電流を十分
に低減することができる。そして、このようなトランジスタを用いることで、極めて長期
にわたり記憶内容を保持することが可能な半導体装置が得られる。
【０２５８】
以上のように、チャネル長方向にチャネル形成領域を挟んで低抵抗領域を含む結晶性酸化
物半導体層を有するトランジスタは、オフ電流が低く、オン特性（例えば、オン電流及び
電界効果移動度）が高く、高速動作、高速応答が可能である。また、微細化も達成できる
。よって、該トランジスタを用いることで高性能及び高信頼性の半導体装置を提供するこ
とができる。
【０２５９】
以上、本実施の形態に示す構成、方法などは、他の実施の形態に示す構成、方法などと適
宜組み合わせて用いることができる。
【０２６０】
（実施の形態６）
本明細書に開示する半導体装置は、さまざまな電子機器（遊技機も含む）に適用すること
ができる。電子機器としては、例えば、テレビジョン装置（テレビ、またはテレビジョン
受信機ともいう）、コンピュータ用などのモニタ、デジタルカメラ、デジタルビデオカメ
ラ等のカメラ、デジタルフォトフレーム、携帯電話機（携帯電話、携帯電話装置ともいう
）、携帯型ゲーム機、携帯情報端末、音響再生装置、パチンコ機などの大型ゲーム機など
が挙げられる。上記実施の形態で説明した半導体装置を具備する電子機器の例について説
明する。
【０２６１】
図１０（Ａ）は、ノート型のパーソナルコンピュータであり、本体３００１、筐体３００
２、表示部３００３、キーボード３００４などによって構成されている。上記実施の形態
で示した半導体装置を表示部３００３に適用することにより、高性能及び高信頼性なノー
ト型のパーソナルコンピュータとすることができる。
【０２６２】
図１０（Ｂ）は、携帯情報端末（ＰＤＡ）であり、本体３０２１には表示部３０２３と、
外部インターフェイス３０２５と、操作ボタン３０２４等が設けられている。また操作用
の付属品としてスタイラス３０２２がある。上記実施の形態のいずれかで示した半導体装
置を表示部３０２３に適用することにより、より高性能及び高信頼性な携帯情報端末（Ｐ
ＤＡ）とすることができる。
【０２６３】
図１０（Ｃ）は、電子書籍の一例を示している。例えば、電子書籍は、筐体２７０１およ
び筐体２７０３の２つの筐体で構成されている。筐体２７０１および筐体２７０３は、軸
部２７１１により一体とされており、該軸部２７１１を軸として開閉動作を行うことがで
きる。このような構成により、紙の書籍のような動作を行うことが可能となる。
【０２６４】
筐体２７０１には表示部２７０５が組み込まれ、筐体２７０３には表示部２７０７が組み
込まれている。表示部２７０５および表示部２７０７は、続き画面を表示する構成として
もよいし、異なる画面を表示する構成としてもよい。異なる画面を表示する構成とするこ
とで、例えば右側の表示部（図１０（Ｃ）では表示部２７０５）に文章を表示し、左側の
表示部（図１０（Ｃ）では表示部２７０７）に画像を表示することができる。上記実施の
形態のいずれかで示した半導体装置を表示部２７０５、表示部２７０７に適用することに
より、高性能及び高信頼性な電子書籍とすることができる。表示部２７０５として半透過
型、又は反射型の液晶表示装置を用いる場合、比較的明るい状況下での使用も予想される
ため、太陽電池を設け、太陽電池による発電、及びバッテリーでの充電を行えるようにし
てもよい。なおバッテリーとしては、リチウムイオン電池を用いると、小型化を図れる等
の利点がある。
【０２６５】
また、図１０（Ｃ）では、筐体２７０１に操作部などを備えた例を示している。例えば、
筐体２７０１において、電源２７２１、操作キー２７２３、スピーカ２７２５などを備え
ている。操作キー２７２３により、頁を送ることができる。なお、筐体の表示部と同一面
にキーボードやポインティングデバイスなどを備える構成としてもよい。また、筐体の裏
面や側面に、外部接続用端子（イヤホン端子、ＵＳＢ端子など）、記録媒体挿入部などを
備える構成としてもよい。さらに、電子書籍は、電子辞書としての機能を持たせた構成と
してもよい。
【０２６６】
また、電子書籍は、無線で情報を送受信できる構成としてもよい。無線により、電子書籍
サーバから、所望の書籍データなどを購入し、ダウンロードする構成とすることも可能で
ある。
【０２６７】
図１０（Ｄ）は、携帯電話であり、筐体２８００及び筐体２８０１の二つの筐体で構成さ
れている。筐体２８０１には、表示パネル２８０２、スピーカ２８０３、マイクロフォン
２８０４、ポインティングデバイス２８０６、カメラ用レンズ２８０７、外部接続端子２
８０８などを備えている。また、筐体２８００には、携帯電話の充電を行う太陽電池セル
２８１０、外部メモリスロット２８１１などを備えている。また、アンテナは筐体２８０
１内部に内蔵されている。上記実施の形態のいずれかで示した半導体装置を表示パネル２
８０２に適用することにより、高性能及び高信頼性な携帯電話とすることができる。
【０２６８】
また、表示パネル２８０２はタッチパネルを備えており、図１０（Ｄ）には映像表示され
ている複数の操作キー２８０５を点線で示している。なお、太陽電池セル２８１０で出力
される電圧を各回路に必要な電圧に昇圧するための昇圧回路も実装している。
【０２６９】
表示パネル２８０２は、使用形態に応じて表示の方向が適宜変化する。また、表示パネル
２８０２と同一面上にカメラ用レンズ２８０７を備えているため、テレビ電話が可能であ
る。スピーカ２８０３及びマイクロフォン２８０４は音声通話に限らず、テレビ電話、録
音、再生などが可能である。さらに、筐体２８００と筐体２８０１は、スライドし、図１
０（Ｄ）のように展開している状態から重なり合った状態とすることができ、携帯に適し
た小型化が可能である。
【０２７０】
外部接続端子２８０８はＡＣアダプタ及びＵＳＢケーブルなどの各種ケーブルと接続可能
であり、充電及びパーソナルコンピュータなどとのデータ通信が可能である。また、外部
メモリスロット２８１１に記録媒体を挿入し、より大量のデータ保存及び移動に対応でき
る。
【０２７１】
また、上記機能に加えて、赤外線通信機能、テレビ受信機能などを備えたものであっても
よい。
【０２７２】
図１０（Ｅ）は、デジタルビデオカメラであり、本体３０５１、表示部（Ａ）３０５７、
接眼部３０５３、操作スイッチ３０５４、表示部（Ｂ）３０５５、バッテリー３０５６な
どによって構成されている。上記実施の形態のいずれかで示した半導体装置を表示部（Ａ
）３０５７、表示部（Ｂ）３０５５に適用することにより、高性能及び高信頼性なデジタ
ルビデオカメラとすることができる。
【０２７３】
図１０（Ｆ）は、テレビジョン装置の一例を示している。テレビジョン装置９６００は、
筐体９６０１に表示部９６０３が組み込まれている。表示部９６０３により、映像を表示
することが可能である。また、ここでは、スタンド９６０５により筐体９６０１を支持し
た構成を示している。上記実施の形態のいずれかで示した半導体装置を表示部９６０３に
適用することにより、高性能及び高信頼性なテレビジョン装置９６００とすることができ
る。
【０２７４】
テレビジョン装置９６００の操作は、筐体９６０１が備える操作スイッチや、別体のリモ
コン操作機により行うことができる。また、リモコン操作機に、当該リモコン操作機から
出力する情報を表示する表示部を設ける構成としてもよい。
【０２７５】
なお、テレビジョン装置９６００は、受信機やモデムなどを備えた構成とする。受信機に
より一般のテレビ放送の受信を行うことができ、さらにモデムを介して有線または無線に
よる通信ネットワークに接続することにより、一方向（送信者から受信者）または双方向
（送信者と受信者間、あるいは受信者間同士など）の情報通信を行うことも可能である。
【０２７６】
本実施の形態は、他の実施の形態に記載した構成と適宜組み合わせて実施することが可能
である。
【実施例１】
【０２７７】
本実施例では、窒素プラズマ処理を行った結晶性酸化物半導体層のシート抵抗の測定結果
及び結晶性の評価結果を、比較例を用いて示す。
【０２７８】
本実施例で作製した実施例試料１、比較試料１、実施例試料２及び比較試料２の作製方法
を以下に示す。
【０２７９】
本実施例の試料として、ガラス基板上にスパッタリング法により酸化シリコン膜を膜厚３
００ｎｍ形成し、酸化シリコン膜表面を逆スパッタリング法によって平坦化し、平坦化処
理後の酸化シリコン膜上に、Ｉｎ−Ｇａ−Ｚｎ−Ｏ膜を膜厚２０ｎｍ形成し、熱処理を施
した比較試料１と、該熱処理後、窒素プラズマ処理を行った実施例試料１を作製した。ま
た、比較試料１において、逆スパッタリング法に代えてＣＭＰ法を用いて平坦化処理を行
うことにより比較試料２を作製し、比較試料２に窒素プラズマ処理を行うことにより実施
例試料２を作製した。
【０２８０】
実施例試料１、実施例試料２、比較試料１及び比較試料２において、酸化シリコン膜の成
膜条件は、ターゲットとして酸化シリコン（ＳｉＯ２）ターゲットを用い、ガラス基板と
ターゲットの間の距離を６０ｍｍ、圧力０．４Ｐａ、ＲＦ電源１．５ｋＷ、アルゴン及び
酸素（アルゴン流量２５ｓｃｃｍ：酸素流量２５ｓｃｃｍ）雰囲気下、基板温度１００℃
とした。
【０２８１】
また、実施例試料１、実施例試料２、比較試料１及び比較試料２において、Ｉｎ−Ｇａ−
Ｚｎ−Ｏ膜の成膜条件は、組成比としてＩｎ２Ｏ３：Ｇａ２Ｏ３：ＺｎＯ＝１：１：２［
ｍｏｌ比］の酸化物ターゲットを用い、ガラス基板とターゲットとの間の距離を６０ｍｍ
、圧力０．４Ｐａ、ＲＦ電源０．５ｋＷ、アルゴン及び酸素（アルゴン流量３０ｓｃｃｍ
：酸素流量１５ｓｃｃｍ）雰囲気下、基板温度３００℃とした。
【０２８２】
また、実施例試料１、実施例試料２、比較試料１及び比較試料２は、Ｉｎ−Ｇａ−Ｚｎ−
Ｏ膜形成後、窒素雰囲気下４５０℃にて１時間熱処理を行い脱水化または脱水素化処理を
行った後、同じ炉に高純度の酸素ガスを導入することによって、脱水化または脱水素化処
理による不純物の排除工程によって同時に減少してしまった酸化物半導体を構成する主成
分材料である酸素を供給した。
【０２８３】
実施例試料１及び比較試料１における平坦化処理の条件は、アルゴン流量５０ｓｃｃｍ、
圧力０．６Ｐａ、出力２００Ｗとし、１０分間逆スパッタリング法で処理した。なお、実
施例試料１及び比較試料１において、酸化シリコン膜の成膜、逆スパッタリング及びＩｎ
−Ｇａ−Ｚｎ−Ｏ膜の成膜は、大気に解放せずに連続的に処理を行った。
【０２８４】
また、実施例試料２及び比較試料２における平坦化処理の条件は、スラリー温度を室温と
し、ガラス基板を６０ｒｐｍ、研磨布を５６ｒｐｍで回転させ、研磨圧は０．００１ＭＰ
ａとしてＣＭＰ処理した。また、このＣＭＰ処理によって酸化シリコン膜を３０ｎｍ研磨
し、表面を平坦化した。
【０２８５】
実施例試料１及び実施例試料２では、熱処理後のＩｎ−Ｇａ−Ｚｎ−Ｏ膜に対して、高密
度プラズマにより窒化処理した。高密度プラズマ処理は、アルゴン及び窒素（アルゴン流
量１０００ｓｃｃｍ：窒素流量５００ｓｃｃｍ）雰囲気下、基板温度４５０℃、反応圧力
６Ｐａ、マイクロ波電源出力３０００Ｗ、マイクロ波周波数２．４５ＧＨｚとし、３００
秒処理した。
【０２８６】
以上の工程で得られた実施例試料１、比較試料１、実施例試料２、及び比較試料２のシー
ト抵抗を測定した。一試料あたり面内５箇所の測定を行った結果を図１１に示す。なお、
測定には、エヌピイエス株式会社製の抵抗率測定器（商品名：Σ−１０）を用いた。
【０２８７】
図１１に示すように、窒化プラズマ処理を施していない比較試料１及び比較試料２のシー
ト抵抗値は、共に抵抗率測定器の測定限界値（５．０×１０６Ω／□）以上であった。一
方、窒化プラズマ処理を行った実施例試料１のシート抵抗の平均値は、１．４×１０５Ω
／□程度であり、実施例試料２のシート抵抗の平均値は、２．４×１０５Ω／□程度であ
った。
【０２８８】
よって、窒化プラズマ処理を行うことによって、酸化物半導体層におけるシート抵抗が低
減する、すなわち、導電性が高くなることが確認された。
【０２８９】
また、実施例試料１、比較試料１、実施例試料２及び比較試料２において、Ｉｎ−Ｇａ−
Ｚｎ−Ｏ膜のＸ線回折（ＸＲＤ：Ｘ−Ｒａｙ  Ｄｉｆｆｒａｃｔｉｏｎ）測定を行った。
ｏｕｔ−ｏｆ−ｐｌａｎｅ法を用いてＸＲＤスペクトルを測定した結果を図１２に示す。
図１２（Ａ）は、実施例試料１及び比較試料１のＸＲＤスペクトルの測定結果であり、図
１２（Ｂ）は、実施例試料２及び比較試料２のＸＲＤスペクトルの測定結果である。図１
２において、縦軸はＸ線回折強度（任意単位）であり、横軸は回転角２θ（ｄｅｇ．）で
ある。なお、ＸＲＤスペクトルの測定は、Ｂｒｕｋｅｒ  ＡＸＳ社製Ｘ線回折装置Ｄ８  
ＡＤＶＡＮＣＥを用いた。
【０２９０】
図１２（Ａ）より、実施例試料１では、２θ＝３３ｄｅｇ．近傍に結晶由来のピークが確
認され、また、図１２（Ｂ）より、実施例試料２では、２θ＝３３ｄｅｇ．近傍に結晶由
来のピークが確認された。
【０２９１】
ＸＲＤ測定では、酸化物半導体層が結晶領域を有していたとしても、その結晶性が十分で
ない場合には、明確なピークが観察されない場合がある。しかしながら、図１２より、窒
素プラズマ処理を行った実施例試料１及び実施例試料２においては、結晶由来のピークを
確認することができることから、窒化プラズマ処理が結晶性の向上に対して有効な処理で
あることが示された。
【実施例２】
【０２９２】
本実施例では、窒素プラズマ処理を行った結晶性酸化物半導体層表面の組成の分析結果を
、比較例を用いて示す。
【０２９３】
本実施例で作製した実施例試料３、実施例試料４、比較試料３乃至５の作製方法を以下に
示す。
【０２９４】
本実施例の試料として、ガラス基板上にスパッタリング法により酸化シリコン膜を膜厚３
００ｎｍ形成し、酸化シリコン膜上に、Ｉｎ−Ｇａ−Ｚｎ−Ｏ膜を膜厚２０ｎｍ形成した
。
【０２９５】
上記において、酸化シリコン膜の成膜条件は、ターゲットとして酸化シリコン（ＳｉＯ２
）ターゲットを用い、ガラス基板とターゲットの間の距離を６０ｍｍ、圧力０．４Ｐａ、
ＲＦ電源１．５ｋＷ、アルゴン及び酸素（アルゴン流量２５ｓｃｃｍ：酸素流量２５ｓｃ
ｃｍ）雰囲気下、基板温度１００℃とした。
【０２９６】
また、Ｉｎ−Ｇａ−Ｚｎ−Ｏ膜の成膜条件は、組成比としてＩｎ２Ｏ３：Ｇａ２Ｏ３：Ｚ
ｎＯ＝１：１：２［ｍｏｌ比］の酸化物ターゲットを用い、ガラス基板とターゲットとの
間の距離を６０ｍｍ、圧力０．４Ｐａ、ＲＦ電源０．５ｋＷ、アルゴン及び酸素（アルゴ
ン流量３０ｓｃｃｍ：酸素流量１５ｓｃｃｍ）雰囲気下、基板温度２５０℃とした。
【０２９７】
成膜したＩｎ−Ｇａ−Ｚｎ−Ｏ膜に対して、高密度プラズマにより窒化処理を行うことに
より、実施例試料３及び実施例試料４を作製した。高密度プラズマ処理は、アルゴン及び
窒素（アルゴン流量１０００ｓｃｃｍ：窒素流量２００ｓｃｃｍ）雰囲気下、反応圧力４
０Ｐａ、マイクロ波電源出力３０００Ｗ、マイクロ波周波数２．４５ＧＨｚとし、３００
秒処理した。実施例試料３においては、基板温度を３５０℃とし、実施例試料４において
は、基板温度を４５０℃とした。
【０２９８】
また、成膜したＩｎ−Ｇａ−Ｚｎ−Ｏ膜に対して、窒化処理に代えて高密度プラズマによ
り酸化処理を行うことにより、比較試料３及び比較試料４を作製した。比較試料３及び比
較試料４において高密度プラズマ処理は、アルゴン及び酸素（アルゴン流量９００ｓｃｃ
ｍ：窒素流量５ｓｃｃｍ）雰囲気下、反応圧力１０６Ｐａ、マイクロ波電源出力３８００
Ｗ、マイクロ波周波数２．４５ＧＨｚとし、３００秒処理した。比較試料３においては、
基板温度を３５０℃とし、比較試料４においては、基板温度を４５０℃とした。
【０２９９】
また、成膜したＩｎ−Ｇａ−Ｚｎ−Ｏ膜に対して、プラズマ処理を行わない試料を比較試
料５とした。
【０３００】
以上の工程で得られた実施例試料３、実施例試料４、及び比較試料３乃至５のＩｎ−Ｇａ
−Ｚｎ−Ｏ膜表面の組成をＸ線光電子分光法（ＸＰＳ：Ｘ−ｒａｙ  Ｐｈｏｔｏｅｌｅｃ
ｔｒｏｎ  Ｓｐｅｃｔｒｏｓｃｏｐｙ）分析によって定量化して評価した。
【０３０１】
ＸＰＳ分析結果を表１に示す。
【０３０２】
【表１】
2018148221.tif 000004
【０３０３】
表１より、プラズマ処理を行っていない比較試料５と、酸素プラズマ処理を行った比較試
料３及び比較試料４では、Ｉｎ−Ｇａ−Ｚｎ−Ｏの組成比に有意な差は確認できない。一
方、窒素プラズマ処理を行った実施例試料３及び実施例試料４では、組成比としてＺｎ及
びＯの減少と、Ｇａ及びＮの増加が確認された。またその減少または増加は、窒素プラズ
マ処理を高温で行った実施例試料４においてより顕著に見られた。
【０３０４】
また、ＸＰＳ分析によって得られたスペクトルを図１３に示す。図１３において、横軸は
Ｎ−１ｓの結合エネルギーを表し、縦軸はスペクトル強度を表す。ＸＰＳ分析のスペクト
ルピーク位置は、元素の電子状態によって決まるため、ピーク位置は結合状態に依存する
。図１３に示すＮ−１ｓのＸＰＳスペクトルにより、Ｎの結合状態を確認することができ
る。
【０３０５】
図１３より、窒化プラズマ処理後の実施例試料３及び実施例試料４では、金属元素と窒素
元素との結合に由来するピークが確認された。また、窒素プラズマ処理を高温で行った実
施例試料４においてより強いピークが見られた。
【０３０６】
以上より、Ｉｎ−Ｇａ−Ｚｎ−Ｏ膜に窒素プラズマ処理を適用することによって、Ｉｎ−
Ｇａ−Ｚｎ−Ｏ膜表面が窒化されることが示された。また、窒素プラズマ処理の処理温度
が高い程、窒化が促進されることが確認された。
【符号の説明】
【０３０７】
１０６    素子分離絶縁層
１０８    ゲート絶縁層
１１０    ゲート電極
１１６    チャネル形成領域
１２０    不純物領域
１２４    金属化合物領域
１２８    絶縁層
１３０    絶縁層
１４０    トランジスタ
１４２ａ    ドレイン電極
１４２ｂ    ドレイン電極
１４４    結晶性酸化物半導体層
１４６    ゲート絶縁層
１４８    ゲート電極
１５０    絶縁層
１５２    絶縁層
１５３    電極層
１５６    配線
１６２    トランジスタ
１６４    容量素子
１８５    基板
４００    基板
４０１    結晶性酸化物半導体層
４０１ａ    結晶性酸化物半導体層
４０２    下地絶縁層
４０３    絶縁層
４０４    結晶性酸化物半導体層
４０４ａ    ソース領域
４０４ｂ    ドレイン領域
４０４ｃ    チャネル形成領域
４０５    導電膜
４０５ａ    ソース電極
４０５ｂ    ドレイン電極
４０６    ゲート絶縁層
４１０    ゲート電極
４１２    絶縁層
４１４    絶縁層
４１５ａ    ソース電極
４１５ｂ    ドレイン電極
４１６    チャネル保護層
４１６ａ    絶縁層
４２１    窒素プラズマ
５１０    トランジスタ
５２０    トランジスタ
５３０    トランジスタ
６０１    基板
６０２    フォトダイオード
６０６ａ    半導体膜
６０６ｂ    半導体膜
６０６ｃ    半導体膜
６０８    接着層
６１３    基板
６３１    絶縁層
６３２    絶縁層
６３３    層間絶縁膜
６３４    層間絶縁膜
６４０    トランジスタ
６４１    電極層
６４２    電極層
６４３    導電層
６４５    導電層
６５６    トランジスタ
６５８    フォトダイオードリセット信号線
６５９    ゲート信号線
６７１    フォトセンサ出力信号線
６７２    フォトセンサ基準信号線
２７０１    筐体
２７０３    筐体
２７０５    表示部
２７０７    表示部
２７１１    軸部
２７２１    電源
２７２３    操作キー
２７２５    スピーカ
２８００    筐体
２８０１    筐体
２８０２    表示パネル
２８０３    スピーカ
２８０４    マイクロフォン
２８０５    操作キー
２８０６    ポインティングデバイス
２８０７    カメラ用レンズ
２８０８    外部接続端子
２８１０    太陽電池セル
２８１１    外部メモリスロット
３００１    本体
３００２    筐体
３００３    表示部
３００４    キーボード
３０２１    本体
３０２２    スタイラス
３０２３    表示部
３０２４    操作ボタン
３０２５    外部インターフェイス
３０５１    本体
３０５３    接眼部
３０５４    操作スイッチ
３０５５    表示部（Ｂ）
３０５６    バッテリー
３０５７    表示部（Ａ）
４００１    基板
４００２    画素部
４００３    信号線駆動回路
４００４    走査線駆動回路
４００５    シール材
４００６    基板
４００８    液晶層
４０１０    トランジスタ
４０１１    トランジスタ
４０１３    液晶素子
４０１５    接続端子電極
４０１６    端子電極
４０１８    ＦＰＣ
４０１９    異方性導電膜
４０２０    絶縁層
４０２１    絶縁層
４０２３    絶縁層
４０３０    電極層
４０３１    電極層
４０３２    絶縁層
４５１０    隔壁
４５１１    電界発光層
４５１３    発光素子
４５１４    充填材
９６００    テレビジョン装置
９６０１    筐体
９６０３    表示部
９６０５    スタンド
【図１】
2018148221.tif 000005
【図２】
2018148221.tif 000006
【図３】
2018148221.tif 000007
【図４】
2018148221.tif 000008
【図５】
2018148221.tif 000009
【図６】
2018148221.tif 000010
【図７】
2018148221.tif 000011
【図８】
2018148221.tif 000012
【図９】
2018148221.tif 000013
【図１０】
2018148221.tif 000014
【図１１】
2018148221.tif 000015
【図１２】
2018148221.tif 000016
【図１３】
2018148221.tif 000017